(57)【要約】  スタンドアロンMBSFNセルは、そのセルの帯域幅がストリーミングサービスのブロードキャストに大部分割り振られるので、非レガシーUEを有する個人に対してユーザエクスペリエンスの改善をもたらす場合がある。しかしながら、レガシーUEを有する個人は、スタンドアロンMBSFNセルに関連するセル捕捉情報を検出することが可能であるが、スタンドアロンMBSFNセルを捕捉することは可能ではない場合がある。この問題を解決するために、本開示は、非レガシーUEがスタンドアロンMBSFNセルを捕捉することを可能にし、レガシーUEがスタンドアロンMBSFN専用セルを捕捉しようとするのを防止する様々なUE回避方式を提供する。本装置は、eMBMSスタンドアロンセルに関連するセル捕捉情報を受信する場合がある。本装置は、セル捕捉情報に関連する特性に基づいてUE回避方式を検出する場合がある。本装置は、特性に基づいてeMBMSスタンドアロンセルに対するセル捕捉を実行してもよい。
2019516275.tif 000002
【特許請求の範囲】
【請求項１】
ワイヤレス通信の方法であって、
ユーザ機器(UE)によって、強化型マルチキャストブロードキャストサービス(eMBMS)スタンドアロンセルに関連するセル捕捉情報を受信するステップと、
前記セル捕捉情報に関連する特性に基づいてUE回避方式を検出するステップと、
前記特性に基づいて前記eMBMSスタンドアロンセルに対するセル捕捉を実行するステップと
を含む、方法。
【請求項２】
前記UEは非レガシーUEであり、前記UE回避方式はレガシーUE回避方式である、請求項1に記載の方法。
【請求項３】
前記セル捕捉情報は、ユニキャストモードで受信される発見サブフレームに含まれる、請求項1に記載の方法。
【請求項４】
前記発見サブフレームは、1次同期信号(PSS)、2次同期信号(SSS)、物理ブロードキャストチャネル(PBCH)、セル固有基準信号(CRS)、システム情報ブロック(SIB)、またはマスタ情報ブロック(MIB)のうちの少なくとも1つを含む、請求項3に記載の方法。
【請求項５】
前記特性は変更されたPBCHスクランブリングシーケンスを含む、請求項4に記載の方法。
【請求項６】
ワイヤレス通信の方法であって、
モバイルアラートサービスセルキャンピング手順の一部としてセルタイプを検出するステップであって、前記セルタイプは好適セル、許容可能セル、または通知専用セルのうちの1つであり、前記通知専用セルは強化型マルチキャストブロードキャストサービス(eMBMS)スタンドアロンサービスに関連付けられる、ステップと、
前記セルタイプが前記好適セルまたは前記許容可能セルではないと判断するステップと、
前記判断に基づいて前記通知専用セルにキャンプオンするステップと
を含む、方法。
【請求項７】
前記モバイルアラートサービスセルキャンピング手順は、地震および津波警報サービス(ETWS)セルキャンピング手順または商用モバイルアラートサービス(CMAS)セルキャンピング手順のうちの少なくとも1つを含む、請求項6に記載の方法。
【請求項８】
前記好適セルはユーザ機器にワイヤレス通信サービスを提供し、前記許容可能セルは緊急モバイルアラートおよび緊急呼を提供し、前記通知専用セルは緊急モバイルアラートおよびeMBMSサービスを提供する、請求項6に記載の方法。
【請求項９】
近隣セルによって送信されたユニキャストサブフレームを検出するステップであって、前記ユニキャストサブフレームは少なくとも1つのセル固有基準信号(CRS)を含む、ステップと、
前記少なくとも1つのCRSに基づいて前記近隣セルの品質を測定するステップと、
前記近隣セルの前記品質が所定量以上であるときに前記セルに再選択するステップと
をさらに含む、請求項6に記載の方法。
【請求項１０】
近隣セルによって送信された単一周波数ネットワーク(SFN)サブフレームを検出するステップであって、前記SFNサブフレームは、異なる送信ポイントから送信された少なくとも1つの基準信号を含む、ステップと、
前記少なくとも1つの基準信号に基づいて前記近隣セルの品質を測定するステップと、
前記近隣セルの前記品質が所定量以上であるときに前記セルに再選択するステップと
をさらに含む、請求項6に記載の方法。
【請求項１１】
前記セルの前記品質は、基準信号受信電力(RSRP)または基準信号受信品質(RSRQ)のうちの少なくとも1つを含む、請求項10に記載の方法。
【請求項１２】
モバイルアラートがないかユニキャストページングを監視するステップと、
ユニキャストサブフレームにおいて、前記モバイルアラートに関連するシステム情報ブロック(SIB)を受信するステップと、
前記ユニキャストサブフレームにおいて前記モバイルアラートを受信するステップと
をさらに含む、請求項6に記載の方法。
【請求項１３】
前記通知専用セルの領域において利用可能な1つまたは複数のマルチキャストブロードキャスト単一周波数ネットワーク(MBSFN)サービスのリストを受信するステップ
をさらに含み、
前記領域は、前記通知専用セルまたは追加のMBSFNサービスを提供する近隣セルのうちの少なくとも1つを含み、
前記リストは、少なくとも1つのMBSFNチャネル、少なくとも1つのMBSFNセル、サイクリックプレフィックス長、帯域幅、セル識別情報、コロケーション、またはサポートされるサービスに関連する情報を含む、請求項6に記載の方法。
【請求項１４】
制御情報を含む第1のサブフレームおよび前記制御情報を含まない第2のサブフレームを示す第1のシグナリングを受信するステップ
をさらに含む、請求項6に記載の方法。
【請求項１５】
各サブフレームに関連するサイクリックプレフィックス長またはヌメロロジーのうちの少なくとも1つを示す第2のシグナリングを受信するステップと、
前記第2のシグナリングに基づいて、各サブフレームに関連する特定のサイクリックプレフィックス長または特定のヌメロロジーのうちの少なくとも1つを決定するステップと
をさらに含む、請求項14に記載の方法。
【請求項１６】
ワイヤレス通信のための装置であって、
メモリと、
前記メモリに結合される少なくとも1つのプロセッサであって、
ユーザ機器(UE)によって、強化型マルチキャストブロードキャストサービス(eMBMS)スタンドアロンセルに関連するセル捕捉情報を受信することと、
前記セル捕捉情報に関連する特性に基づいてUE回避方式を検出することと、
前記特性に基づいて前記eMBMSスタンドアロンセルに対するセル捕捉を実行することと
を行うように構成される少なくとも1つのプロセッサと
を備える、装置。
【請求項１７】
前記UEは非レガシーUEであり、前記UE回避方式はレガシーUE回避方式である、請求項16に記載の装置。
【請求項１８】
前記セル捕捉情報は、ユニキャストモードで受信される発見サブフレームに含まれる、請求項16に記載の装置。
【請求項１９】
前記発見サブフレームは、1次同期信号(PSS)、2次同期信号(SSS)、物理ブロードキャストチャネル(PBCH)、セル固有基準信号(CRS)、システム情報ブロック(SIB)、またはマスタ情報ブロック(MIB)のうちの少なくとも1つを含む、請求項18に記載の装置。
【請求項２０】
前記特性は変更されたPBCHスクランブリングシーケンスを含む、請求項19に記載の装置。
【請求項２１】
ワイヤレス通信のための装置であって、
メモリと、
前記メモリに結合される少なくとも1つのプロセッサであって、
モバイルアラートサービスセルキャンピング手順の一部としてセルタイプを検出することであって、前記セルタイプは好適セル、許容可能セル、または通知専用セルのうちの1つであり、前記通知専用セルは強化型マルチキャストブロードキャストサービス(eMBMS)スタンドアロンサービスに関連付けられる、検出することと、
前記セルタイプが前記好適セルまたは前記許容可能セルではないと判断することと、
前記判断に基づいて前記通知専用セルにキャンプオンすることと
を行うように構成される少なくとも1つのプロセッサと
を備える、装置。
【請求項２２】
前記モバイルアラートサービスセルキャンピング手順は、地震および津波警報サービス(ETWS)セルキャンピング手順または商用モバイルアラートサービス(CMAS)セルキャンピング手順のうちの少なくとも1つを含む、請求項21に記載の装置。
【請求項２３】
前記好適セルはユーザ機器にワイヤレス通信サービスを提供し、前記許容可能セルは緊急モバイルアラートおよび緊急呼を提供し、前記通知専用セルは緊急モバイルアラートおよびeMBMSサービスを提供する、請求項21に記載の装置。
【請求項２４】
前記少なくとも1つのプロセッサは、
近隣セルによって送信されたユニキャストサブフレームを検出することであって、前記ユニキャストサブフレームは少なくとも1つのセル固有基準信号(CRS)を含む、検出することと、
前記少なくとも1つのCRSに基づいて前記近隣セルの品質を測定することと、
前記近隣セルの前記品質が所定量以上であるときに前記セルに再選択することと
を行うようにさらに構成される、請求項21に記載の装置。
【請求項２５】
前記少なくとも1つのプロセッサは、
近隣セルによって送信された単一周波数ネットワーク(SFN)サブフレームを検出することであって、前記SFNサブフレームは、異なる送信ポイントから送信された少なくとも1つの基準信号を含む、検出することと、
前記少なくとも1つの基準信号に基づいて前記近隣セルの品質を測定することと、
前記近隣セルの前記品質が所定量以上であるときに前記セルに再選択することと
を行うようにさらに構成される、請求項21に記載の装置。
【請求項２６】
前記セルの前記品質は、基準信号受信電力(RSRP)または基準信号受信品質(RSRQ)のうちの少なくとも1つを含む、請求項25に記載の装置。
【請求項２７】
前記少なくとも1つのプロセッサは、
モバイルアラートがないかユニキャストページングを監視することと、
ユニキャストサブフレームにおいて、前記モバイルアラートに関連するシステム情報ブロック(SIB)を受信することと、
前記ユニキャストサブフレームにおいて前記モバイルアラートを受信することと
を行うようにさらに構成される、請求項21に記載の装置。
【請求項２８】
前記少なくとも1つのプロセッサは、
前記通知専用セルの領域において利用可能な1つまたは複数のマルチキャストブロードキャスト単一周波数ネットワーク(MBSFN)サービスのリストを受信する
ようにさらに構成され、
前記領域は、前記通知専用セルまたは追加のMBSFNサービスを提供する近隣セルのうちの少なくとも1つを含み、
前記リストは、少なくとも1つのMBSFNチャネル、少なくとも1つのMBSFNセル、サイクリックプレフィックス長、帯域幅、セル識別情報、コロケーション、またはサポートされるサービスに関連する情報を含む、請求項21に記載の装置。
【請求項２９】
前記少なくとも1つのプロセッサは、
制御情報を含む第1のサブフレームおよび前記制御情報を含まない第2のサブフレームを示す第1のシグナリングを受信する
ようにさらに構成される、請求項21に記載の装置。
【請求項３０】
前記少なくとも1つのプロセッサは、
各サブフレームに関連するサイクリックプレフィックス長またはヌメロロジーのうちの少なくとも1つを示す第2のシグナリングを受信することと、
前記第2のシグナリングに基づいて、各サブフレームに関連する特定のサイクリックプレフィックス長または特定のヌメロロジーのうちの少なくとも1つを決定することと
を行うようにさらに構成される、請求項29に記載の装置。
【発明の詳細な説明】
【技術分野】
【０００１】
関連出願の相互参照
本出願は、2016年3月30日に出願された"STANDALONE MULTICAST BROADCAST SINGLE FREQUENCY NETWORK CELL ACQUISITION"と題する米国仮出願第62/315,584号、および2017年2月28日に出願された"STANDALONE MULTICAST BROADCAST SINGLE FREQUENCY NETWORK CELL ACQUISITION"と題する米国特許出願第15/444,708号の利益を主張し、それらの全体が参照により本明細書に明確に組み込まれる。
【０００２】
本開示は、一般に通信システムに関し、より詳細には、スタンドアロンマルチキャストブロードキャスト単一周波数ネットワーク(MBSFN)セルを含む通信システムに関する。
【背景技術】
【０００３】
ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソースを共有することによって複数のユーザとの通信をサポートすることが可能な多元接続技術を採用する場合がある。そのような多元接続技術の例には、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムが含まれる。
【０００４】
これらの多元接続技術は、異なるワイヤレスデバイスが都市、国家、地域、さらには地球レベルで通信することを可能にする共通プロトコルを提供するために、様々な電気通信規格において採用されている。例示的な電気通信規格はロングタームエボリューション(LTE)である。LTEは、第3世代パートナーシッププロジェクト(3GPP)によって公表されたユニバーサルモバイルテレコミュニケーションズシステム(UMTS)モバイル規格に対する拡張のセットである。LTEは、ダウンリンク上でOFDMAを使用し、アップリンク上でSC-FDMAを使用し、多入力多出力(MIMO)アンテナ技術を使用して、スペクトル効率の改善、コストの低下、およびサービスの改善を通して、モバイルブロードバンドアクセスをサポートするように設計されている。しかしながら、モバイルブロードバンドアクセスに対する需要が増大し続けるにつれて、LTE技術におけるさらなる改善が必要である。これらの改善はまた、他の多元接続技術、およびこれらの技術を採用する電気通信規格に適用可能であってもよい。
【０００５】
ブロードキャストのビデオコンテンツをストリーミングするユーザの量の増加に起因して、ワイヤレス通信システム(たとえば、非レガシーワイヤレス通信システム)がスタンドアロンMBSFNセルを含む場合がある。スタンドアロンMBSFNセルは、スタンドアロンMBSFNセルの帯域幅がストリーミングサービスのブロードキャストに大部分割り振られるので、非レガシーユーザ機器(UE)を有する個人に対してユーザエクスペリエンスの改善(たとえば、MBSFNサービスの品質の向上)をもたらす場合がある。しかしながら、レガシーUE(たとえば、より古いバージョンのUE)は、スタンドアロンMBSFNセルに関連するセル捕捉情報を検出することが可能であるが、実際にスタンドアロンMBSFNセルを捕捉することは可能ではない場合がある。そのため、レガシーUEは、検出されたスタンドアロンMBSFNセルを捕捉しようとして時間およびバッテリー電力を浪費する場合がある。
【発明の概要】
【発明が解決しようとする課題】
【０００６】
以下で、1つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、1つまたは複数の態様のいくつかの概念を簡略化された形で提示することである。
【０００７】
ブロードキャストのビデオコンテンツをストリーミングするユーザの量の増加に起因して、ワイヤレス通信システム(たとえば、非レガシーワイヤレス通信システム)がスタンドアロンMBSFNセルを含む場合がある。スタンドアロンMBSFNセルは、スタンドアロンMBSFNセルの帯域幅がストリーミングサービスのブロードキャストに大部分割り振られるので、非レガシーユーザ機器(UE)を有する個人に対してユーザエクスペリエンスの改善をもたらす場合がある。しかしながら、レガシーUE(たとえば、より古いバージョンのUE)は、スタンドアロンMBSFNセルに関連するセル捕捉情報を検出することが可能であるが、スタンドアロンMBSFNセルを捕捉することは可能ではない場合がある。そのため、レガシーUEは、検出されたスタンドアロンMBSFNセルを捕捉しようとして時間およびバッテリー電力を浪費する場合がある。
【課題を解決するための手段】
【０００８】
この問題を解決するために、本開示は、非レガシーUEがスタンドアロンMBSFNセルを捕捉することを可能にし、レガシーUEがスタンドアロンMBSFN専用セルを捕捉しようとするのを防止する様々なUE回避方式を提供する。
【０００９】
本開示の一態様では、方法、コンピュータ可読媒体、および装置が提供される。一構成では、本装置は、強化型マルチキャストブロードキャストサービス(eMBMS:enhanced multicast Broadcast service)スタンドアロンセルに関連するセル捕捉情報を受信する場合がある。本装置は、セル捕捉情報に関連する特性に基づいてUE回避方式を検出する場合がある。本装置は、特性に基づいてeMBMSスタンドアロンセルに対するセル捕捉を実行してもよい。
【００１０】
別の構成では、本装置は、モバイルアラートサービスセルキャンピング手順の一部としてセルタイプを検出する場合がある。一態様では、セルタイプは、好適セル、許容可能セル、または通知専用セルのうちの1つである場合がある。さらなる態様では、通知専用セルはeMBMSスタンドアロンサービスに関連付けられてもよい。別の態様では、本装置は、セルタイプが好適セルまたは許容可能セルでないと判断する場合がある。さらなる態様では、本装置は、判断に基づいて通知専用セルにキャンプオンしてもよい。
【００１１】
上記の目的および関連する目的を達成するために、1つまたは複数の態様は、以下で十分に説明し、特に特許請求の範囲において指摘する特徴を含む。以下の説明および添付の図面は、1つまたは複数の態様のうちのいくつかの例示的な特徴を詳細に記載する。しかしながら、これらの特徴は、様々な態様の原理が採用される場合がある様々な方法のほんのいくつかを示すものであり、この説明は、すべてのそのような態様とそれらの均等物とを含むものである。
【００１２】
上記の目的および関連する目的を達成するために、1つまたは複数の態様は、以下で十分に説明し、特に特許請求の範囲において指摘する特徴を含む。以下の説明および添付の図面は、1つまたは複数の態様のうちのいくつかの例示的な特徴を詳細に記載する。しかしながら、これらの特徴は、様々な態様の原理が採用される場合がある様々な方法のほんのいくつかを示すものであり、この説明は、すべてのそのような態様とそれらの均等物とを含むものである。
【図面の簡単な説明】
【００１３】
【図１】ワイヤレス通信システムおよびアクセスネットワークの一例を示す図である。
【図２Ａ】DLフレーム構造のLTEの例を示す図である。
【図２Ｂ】DLフレーム構造内のDLチャネルのLTEの例を示す図である。
【図２Ｃ】ULフレーム構造のLTEの例を示す図である。
【図２Ｄ】ULフレーム構造内のULチャネルのLTEの例を示す図である。
【図３】アクセスネットワークにおける発展型NodeB(eNB)およびUEの一例を示す図である。
【図４Ａ】アクセスネットワークにおけるマルチキャストブロードキャスト単一周波数ネットワークエリアの一例を示す図である。
【図４Ｂ】マルチキャストブロードキャスト単一周波数ネットワークにおける発展型マルチメディアブロードキャストマルチキャストサービスチャネル構成の一例を示す図である。
【図４Ｃ】マルチキャストチャネル(MCH)スケジューリング情報(MSI)媒体アクセス制御要素のフォーマットを示す図である。
【図５】本開示の一態様による、ワイヤレス通信システムの図である。
【図６】本開示の一態様による、ワイヤレス通信システムの図である。
【図７】本開示の一態様による、ワイヤレス通信の方法のフローチャートである。
【図８】本開示の一態様による、ワイヤレス通信の方法のフローチャートである。
【図９】例示的な装置中の異なる手段/コンポーネント間のデータフローを示す概念データフロー図である。
【図１０】処理システムを採用する装置のためのハードウェア実装形態の一例を示す図である。
【図１１Ａ】本開示の一態様による、ワイヤレス通信の方法のフローチャートである。
【図１１Ｂ】本開示の一態様による、ワイヤレス通信の方法のフローチャートである。
【図１２】例示的な装置中の異なる手段/コンポーネント間のデータフローを示す概念データフロー図である。
【図１３】処理システムを採用する装置のためのハードウェア実装形態の一例を示す図である。
【発明を実施するための形態】
【００１４】
添付の図面に関して以下に記載する発明を実施するための形態は、様々な構成について説明するものであり、本明細書で説明する概念が実践されてもよい唯一の構成を表すものではない。発明を実施するための形態は、様々な概念の完全な理解を与える目的で、具体的な詳細を含む。しかしながら、これらの概念がこれらの具体的な詳細なしに実践されてもよいことが、当業者には明らかであろう。場合によっては、そのような概念を不明瞭にすることを避けるために、よく知られている構造およびコンポーネントがブロック図の形態で示される。
【００１５】
ここで、様々な装置および方法を参照しながら電気通信システムのいくつかの態様が提示される。これらの装置および方法について、以下の発明を実施するための形態において説明し、(「要素」と総称される)様々なブロック、コンポーネント、回路、プロセス、アルゴリズムなどによって添付の図面に示す。これらの要素は、電子ハードウェア、コンピュータソフトウェア、またはそれらの任意の組合せを使用して実装されてもよい。そのような要素がハードウェアとして実装されるか、ソフトウェアとして実装されるかは、特定の適用例および全体的なシステムに課される設計制約に依存する。
【００１６】
例として、要素、または要素の任意の部分、または要素の任意の組合せは、1つまたは複数のプロセッサを含む「処理システム」として実装される場合がある。プロセッサの例には、マイクロプロセッサ、マイクロコントローラ、グラフィックス処理装置(GPU)、中央処理装置(CPU)、アプリケーションプロセッサ、デジタル信号プロセッサ(DSP)、縮小命令セットコンピューティング(RISC)プロセッサ、システムオンチップ(SoC)、ベースバンドプロセッサ、フィールドプログラマブルゲートアレイ(FPGA)、プログラマブル論理デバイス(PLD)、ステートマシン、ゲート論理、個別ハードウェア回路、および本開示全体にわたって記載される様々な機能を実行するように構成される他の適切なハードウェアが含まれる。処理システム内の1つまたは複数のプロセッサは、ソフトウェアを実行してもよい。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００１７】
したがって、1つまたは複数の例示的な実施形態では、記載される機能は、ハードウェア、ソフトウェア、またはそれらの任意の組合せで実装される場合がある。ソフトウェアで実装される場合、機能は、コンピュータ可読媒体上に記憶されるか、またはコンピュータ可読媒体上に1つもしくは複数の命令もしくはコードとして符号化される場合がある。コンピュータ可読媒体はコンピュータ記憶媒体を含む。記憶媒体は、コンピュータによってアクセス可能な任意の利用可能な媒体であってもよい。限定ではなく例として、そのようなコンピュータ可読媒体は、ランダムアクセスメモリ(RAM)、読取り専用メモリ(ROM)、電気的消去可能プログラマブルROM(EEPROM)、光ディスクストレージ、磁気ディスクストレージ、他の磁気ストレージデバイス、上述のタイプのコンピュータ可読媒体の組合せ、または、コンピュータによってアクセス可能な命令もしくはデータ構造の形態のコンピュータ実行可能コードを記憶するために使用可能な任意の他の媒体を備えることができる。
【００１８】
図1は、ワイヤレス通信システムおよびアクセスネットワーク100の一例を示す図である。(ワイヤレスワイドエリアネットワーク(WWAN)とも呼ばれる)ワイヤレス通信システムは、基地局102と、UE104と、発展型パケットコア(EPC)160とを含む。基地局102は、マクロセル(高電力セルラー基地局)および/またはスモールセル(低電力セルラー基地局)を含む場合がある。マクロセルはeNBを含む。スモールセルは、フェムトセルと、ピコセルと、マイクロセルとを含む。
【００１９】
(発展型ユニバーサルモバイルテレコミュニケーションズシステム(UMTS)地上波無線アクセスネットワーク(E-UTRAN)と総称される)基地局102は、バックホールリンク132(たとえば、S1インターフェース)を介してEPC160とインターフェースする。他の機能に加えて、基地局102は、以下の機能:ユーザデータの転送、無線チャネル暗号化および解読、完全性保護、ヘッダ圧縮、モビリティ制御機能(たとえば、ハンドオーバー、デュアル接続性)、セル間干渉協調、接続セットアップおよび解放、負荷分散、非アクセス層(NAS)メッセージのための分配、NASノード選択、同期、無線アクセスネットワーク(RAN)共有、マルチメディアブロードキャストマルチキャストサービス(MBMS)、加入者および機器トレース、RAN情報管理(RIM)、ページング、測位、ならびに警告メッセージの配信のうちの1つまたは複数を実行してもよい。基地局102は、バックホールリンク134(たとえば、X2インターフェース)上で互いに直接的または(たとえば、EPC160を介して)間接的に通信してもよい。バックホールリンク134は有線またはワイヤレスであってもよい。
【００２０】
基地局102はUE104とワイヤレスに通信してもよい。基地局102の各々は、それぞれの地理的カバレージエリア110に通信カバレージを提供してもよい。重複する地理的カバレージエリア110が存在する場合がある。たとえば、スモールセル102'は、1つまたは複数のマクロ基地局102のカバレージエリア110と重複するカバレージエリア110'を有する場合がある。スモールセルとマクロセルの両方を含むネットワークは、異種ネットワークとして知られる場合がある。異種ネットワークはまた、限定加入者グループ(CSG)として知られる限定グループにサービスを提供してもよいホーム発展型ノードB(eNB)(HeNB)を含む場合がある。基地局102とUE104との間の通信リンク120は、UE104から基地局102への(逆方向リンクとも呼ばれる)アップリンク(UL)送信、および/または基地局102からUE104への(順方向リンクとも呼ばれる)ダウンリンク(DL)送信を含む場合がある。通信リンク120は、空間多重化、ビームフォーミング、および/または送信ダイバーシティを含む、MIMOアンテナ技術を使用してもよい。通信リンクは、1つまたは複数のキャリアを介する場合がある。基地局102/UE104は、各方向における送信に使用される合計YxMHz(x個のコンポーネントキャリア)までのキャリアアグリゲーションにおいて割り振られた、キャリア当たりYMHz(たとえば、5、10、15、20MHz)までの帯域幅のスペクトルを使用してもよい。キャリアはまた、互いに隣接する場合も、隣接しない場合もある。キャリアの割振りは、DLおよびULに対して非対称であってもよい(たとえば、DLの場合、ULの場合よりも多いかまたは少ないキャリアが割り振られる場合がある)。コンポーネントキャリアは、1次コンポーネントキャリアと、1つまたは複数の2次コンポーネントキャリアとを含む場合がある。1次コンポーネントキャリアは1次セル(PCell)と呼ばれる場合があり、2次コンポーネントキャリアは2次セル(SCell)と呼ばれる場合がある。
【００２１】
ワイヤレス通信システムは、5GHz無認可周波数スペクトル内で通信リンク154を介してWi-Fi局(STA)152と通信しているWi-Fiアクセスポイント(AP)150をさらに含む場合がある。無認可周波数スペクトル内で通信するとき、STA152/AP150は、チャネルが利用可能であるかどうかを判断するために、通信するより前にクリアチャネルアセスメント(CCA)を実行してもよい。
【００２２】
スモールセル102'は、認可および/または無認可の周波数スペクトル内で動作してもよい。無認可周波数スペクトル内で動作しているとき、スモールセル102'は、LTEを採用し、Wi-Fi AP150によって使用されるのと同じ5GHz無認可周波数スペクトルを使用してもよい。無認可周波数スペクトル内でLTEを採用するスモールセル102'は、アクセスネットワークへのカバレージをブーストすること、および/またはアクセスネットワークの容量を増加させてもよい。無認可スペクトルにおけるLTEは、LTE無認可(LTE-U)、認可支援アクセス(LAA)、またはMuLTEfireと呼ばれる場合がある。
【００２３】
ミリメートル波(mmW)基地局180は、UE182と通信するときにmmW周波数および/または準mmW周波数(near mmW frequency)で動作する場合がある。極高周波数(EHF:extremely high frequency)は、電磁スペクトル内のRFの一部である。EHFは、30GHz〜300GHzの範囲および1ミリメートルから10ミリメートルの間の波長を有する。この帯域における電波は、ミリメートル波と呼ばれる場合がある。準mmWは、100ミリメートルの波長を有し、3GHzの周波数まで及ぶ場合がある。超高周波数(SHF:super high frequency)帯域は、センチメートル波とも呼ばれ、3GHzから30GHzの間に及ぶ。mmW/準mmW無線周波数帯域を使用する通信は、極めて高い経路損失および短距離を有する。mmW基地局180は、極めて高い経路損失および短距離を補償するためにUE182に対してビームフォーミング184を利用してもよい。
【００２４】
EPC160は、モビリティ管理エンティティ(MME)162と、他のMME164と、サービングゲートウェイ166と、マルチメディアブロードキャストマルチキャストサービス(MBMS)ゲートウェイ168と、ブロードキャストマルチキャストサービスセンター(BM-SC)170と、パケットデータネットワーク(PDN)ゲートウェイ172とを含む場合がある。MME162は、ホーム加入者サーバ(HSS)174と通信している場合がある。MME162は、UE104とEPC160との間のシグナリングを処理する制御ノードである。一般に、MME162はベアラおよび接続管理を行う。すべてのユーザインターネットプロトコル(IP)パケットは、サービングゲートウェイ166を介して転送され、サービングゲートウェイ166自体はPDNゲートウェイ172に接続される。PDNゲートウェイ172は、UEのIPアドレス割振りならびに他の機能を提供する。PDNゲートウェイ172およびBM-SC170は、IPサービス176に接続される。IPサービス176は、インターネット、イントラネット、IPマルチメディアサブシステム(IMS)、PSストリーミングサービス(PSS)、および/または他のIPサービスを含む場合がある。BM-SC170は、MBMSユーザサービスのプロビジョニングおよび配信のための機能を提供してもよい。BM-SC170は、コンテンツプロバイダMBMS送信のためのエントリポイントとして働く場合があり、公衆陸上モバイルネットワーク(PLMN)内のMBMSベアラサービスを認可および開始するために使用される場合があり、MBMS送信をスケジュールするために使用される場合がある。MBMSゲートウェイ168は、特定のサービスをブロードキャストするMBSFNエリアに属する基地局102にMBMSトラフィックを分配するために使用される場合があり、セッション管理(開始/ストップ)およびeMBMS関連の課金情報の収集に関与する場合がある。
【００２５】
基地局はまた、ノードB、発展型ノードB(eNB)、アクセスポイント、トランシーバ基地局、無線基地局、無線トランシーバ、トランシーバ機能、基本サービスセット(BSS)、拡張サービスセット(ESS)、または他の何らかの適切な用語で呼ばれる場合がある。基地局102は、UE104にEPC160へのアクセスポイントを提供する。UE104の例には、携帯電話、スマートフォン、セッション開始プロトコル(SIP)電話、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲーム機、タブレット、スマートデバイス、ウェアラブルデバイス、または任意の他の同様の機能デバイスが含まれる。UE104はまた、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語で呼ばれる場合がある。
【００２６】
再び図1を参照すると、いくつかの態様において、UE104は、スタンドアロンMBSFNセルを捕捉するように構成されてもよい(198)。
【００２７】
図2Aは、LTEにおけるDLフレーム構造の一例を示す図200である。図2Bは、LTEにおけるDLフレーム構造内のチャネルの一例を示す図230である。図2Cは、LTEにおけるULフレーム構造の一例を示す図250である。図2Dは、LTEにおけるULフレーム構造内のチャネルの一例を示す図280である。他のワイヤレス通信技術は、異なるフレーム構造および/または異なるチャネルを有する場合がある。LTEでは、フレーム(10ms)は、10個の等しいサイズのサブフレームに分割される場合がある。各サブフレームは、2つの連続するタイムスロットを含む場合がある。2つのタイムスロットを表すためにリソースグリッドが使用される場合があり、各タイムスロットは、1つまたは複数の(物理RB(PRB)とも呼ばれる)時間同時の(time concurrent)リソースブロック(RB)を含む。リソースグリッドは複数のリソース要素(RE)に分割される。LTEでは、ノーマルサイクリックプレフィックスの場合、RBは、合計84個のREについて、周波数領域内に12個の連続するサブキャリアを含んでおり、時間領域内に7つの連続するシンボル(DLの場合、OFDMシンボル、ULの場合、SC-FDMAシンボル)を含む。拡張サイクリックプレフィックスの場合、RBは、合計72個のREについて、周波数領域内に12個の連続するサブキャリアを含んでおり、時間領域内に6個の連続するシンボルを含む。各REによって搬送されるビットの数は、変調方式に依存する。
【００２８】
図2Aに示すように、REのうちのいくつかは、UEにおけるチャネル推定のためのDL基準(パイロット)信号(DL-RS)を搬送する。DL-RSは、(共通RSと呼ばれることもある)セル固有基準信号(CRS)と、UE固有基準信号(UE-RS)と、チャネル状態情報基準信号(CSI-RS)とを含む場合がある。図2Aは、(それぞれ、R0、R1、R2、およびR3として示される)アンテナポート0、1、2、および3のためのCRSと、(R5として示される)アンテナポート5のためのUE-RSと、(Rとして示される)アンテナポート15のためのCSI-RSとを示す。図2Bは、フレームのDLサブフレーム内の様々なチャネルの一例を示す。物理制御フォーマットインジケータチャネル(PCFICH)はスロット0のシンボル0内にあり、物理ダウンリンク制御チャネル(PDCCH)が1つのシンボルを占有するか、2つのシンボルを占有するか、3つのシンボルを占有するかを示す制御フォーマットインジケータ(CFI)を搬送する(図2Bは、3つのシンボルを占有するPDCCHを示す)。PDCCHは、1つまたは複数の制御チャネル要素(CCE)内でダウンリンク制御情報(DCI)を搬送し、各CCEは9つのREグループ(REG)を含み、各REGはOFDMシンボル内に4つの連続するREを含む。UEは、DCIも搬送するUE固有拡張PDCCH(ePDCCH)で構成される場合がある。ePDCCHは、2つ、4つ、または8つのRBペアを有する場合がある(図2Bは2つのRBペアを示し、各サブセットは1つのRBペアを含む)。物理ハイブリッド自動再送要求(ARQ)(HARQ)インジケータチャネル(PHICH)もスロット0のシンボル0内にあり、物理アップリンク共有チャネル(PUSCH)に基づいてHARQ肯定応答(ACK)/否定ACK(NACK)フィードバックを示すHARQインジケータ(HI)を搬送する。1次同期チャネル(PSCH)は、フレームのサブフレーム0および5内のスロット0のシンボル6内にあり、サブフレームタイミングと物理レイヤ識別情報とを決定するためにUEによって使用される1次同期信号(PSS)を搬送する。2次同期チャネル(SSCH)は、フレームのサブフレーム0および5内のスロット0のシンボル5内にあり、物理レイヤセル識別情報グループ番号を決定
するためにUEによって使用される2次同期信号(SSS)を搬送する。物理レイヤ識別情報および物理レイヤセル識別情報グループ番号に基づいて、UEは物理セル識別子(PCI)を決定することができる。PCIに基づいて、UEは上述のDL-RSの位置を決定することができる。物理ブロードキャストチャネル(PBCH)は、フレームのサブフレーム0のスロット1のシンボル0、1、2、3内にあり、マスタ情報ブロック(MIB)を搬送する。MIBは、DLシステム帯域幅内のRBの数と、PHICH構成と、システムフレーム番号(SFN)とを提供する。物理ダウンリンク共有チャネル(PDSCH)は、ユーザデータと、システム情報ブロック(SIB)などのPBCHを介して送信されないブロードキャストシステム情報と、ページングメッセージとを搬送する。
【００２９】
図2Cに示すように、REのうちのいくつかは、eNBにおけるチャネル推定のための復調基準信号(DM-RS)を搬送する。UEは、サブフレームの最終シンボル内でサウンディング基準信号(SRS)をさらに送信する場合がある。SRSはコム構造を有する場合があり、UEは、コムのうちの1つの上でSRSを送信する場合がある。SRSは、eNBによって、UL上での周波数依存スケジューリングを可能にするために、チャネル品質推定のために使用される場合がある。図2Dは、フレームのULサブフレーム内の様々なチャネルの一例を示す。物理ランダムアクセスチャネル(PRACH)は、PRACH構成に基づいてフレーム内の1つまたは複数のサブフレーム内にあってもよい。PRACHは、サブフレーム内に6つの連続するRBペアを含む場合がある。PRACHにより、UEが初期システムアクセスを実行し、UL同期を実現することが可能になる。物理アップリンク制御チャネル(PUCCH)は、ULシステム帯域幅のエッジ上に位置する場合がある。PUCCHは、スケジューリング要求、チャネル品質インジケータ(CQI)、プリコーディング行列インジケータ(PMI)、ランクインジケータ(RI)、およびHARQ ACK/NACKフィードバックなどのアップリンク制御情報(UCI)を搬送する。PUSCHは、データを搬送し、バッファステータス報告(BSR)、パワーヘッドルーム報告(PHR)、および/またはUCIを搬送するためにさらに使用される場合がある。
【００３０】
図3は、アクセスネットワークにおいてeNB310がUE350と通信しているブロック図である。DLでは、EPC160からのIPパケットがコントローラ/プロセッサ375に提供される場合がある。コントローラ/プロセッサ375はレイヤ3およびレイヤ2の機能を実装する。レイヤ3は無線リソース制御(RRC)レイヤを含み、レイヤ2は、パケットデータコンバージェンスプロトコル(PDCP)レイヤと、無線リンク制御(RLC)レイヤと、媒体アクセス制御(MAC)レイヤとを含む。コントローラ/プロセッサ375は、システム情報(たとえば、MIB、SIB)のブロードキャスティング、RRC接続制御(たとえば、RRC接続ページング、RRC接続確立、RRC接続修正、およびRRC接続解放)、無線アクセス技術(RAT)間モビリティ、ならびにUE測定報告のための測定構成に関連するRRCレイヤ機能と、ヘッダ圧縮/解凍、セキュリティ(暗号化、解読、完全性保護、完全性検証)、およびハンドオーバーサポート機能に関連するPDCPレイヤ機能と、上位レイヤパケットデータユニット(PDU)の転送、ARQを介した誤り訂正、RLCサービスデータユニット(SDU)の連結、セグメンテーション、およびリアセンブリ、RLCデータPDUの再セグメンテーション、ならびにRLCデータPDUの並べ替えに関連するRLCレイヤ機能と、論理チャネルとトランスポートチャネルとの間のマッピング、トランスポートブロック(TB)上へのMAC SDUの多重化、TBからのMAC SDUの逆多重化、スケジューリング情報報告、HARQを介した誤り訂正、優先度処理、および論理チャネル優先度付けに関連するMACレイヤ機能とを提供する。
【００３１】
送信(TX)プロセッサ316および受信(RX)プロセッサ370は、様々な信号処理機能に関連するレイヤ1機能を実装する。物理(PHY)レイヤを含むレイヤ1は、トランスポートチャネル上の誤り検出と、トランスポートチャネルの前方誤り訂正(FEC)コーディング/復号と、インターリービングと、レートマッチングと、物理チャネル上へのマッピングと、物理チャネルの変調/復調と、MIMOアンテナ処理とを含む場合がある。TXプロセッサ316は、様々な変調方式(たとえば、2位相シフトキーイング(BPSK)、4位相シフトキーイング(QPSK)、M位相シフトキーイング(M-PSK)、M直交振幅変調(M-QAM))に基づく信号コンスタレーションへのマッピングを扱う。コーディングされ変調されたシンボルは、次いで、並列ストリームに分割される場合がある。各ストリームは、次いで、時間領域OFDMシンボルストリームを搬送する物理チャネルを生成するために、OFDMサブキャリアにマッピングされ、時間領域および/または周波数領域内で基準信号(たとえば、パイロット)と多重化され、次いで、逆高速フーリエ変換(IFFT)を使用して一緒に合成される場合がある。OFDMストリームは、複数の空間ストリームを生成するために空間的にプリコーディングされる。チャネル推定器374からのチャネル推定値は、コーディングおよび変調方式を決定するために、ならびに空間処理のために使用される場合がある。チャネル推定値は、UE350によって送信された基準信号および/またはチャネル状態フィードバックから導出される場合がある。各空間ストリームは、次いで、別個のトランスミッタ318TXを介して異なるアンテナ320に提供される場合がある。各トランスミッタ318TXは、送信のためにそれぞれの空間ストリームでRFキャリアを変調してもよい。
【００３２】
UE350において、各レシーバ354RXは、レシーバのそれぞれのアンテナ352を通して信号を受信する。各レシーバ354RXは、RFキャリア上に変調された情報を復元し、その情報を受信(RX)プロセッサ356に提供する。TXプロセッサ368およびRXプロセッサ356は、様々な信号処理機能に関連するレイヤ1機能を実装する。RXプロセッサ356は、UE350に宛てられた任意の空間ストリームを復元するために、情報に対して空間処理を実行してもよい。複数の空間ストリームがUE350に宛てられた場合、複数の空間ストリームは、RXプロセッサ356によって単一のOFDMシンボルストリームに合成される場合がある。次いで、RXプロセッサ356は、高速フーリエ変換(FFT)を使用して、OFDMAシンボルストリームを時間領域から周波数領域に変換する。周波数領域信号は、OFDM信号のサブキャリアごとに別個のOFDMシンボルストリームを備える。各サブキャリア上のシンボルおよび基準信号は、eNB310によって送信された最も可能性の高い信号コンスタレーションポイントを決定することによって復元および復調される。これらの軟判定は、チャネル推定器358によって算出されたチャネル推定値に基づく場合がある。軟判定は、次いで、物理チャネル上でeNB310によって最初に送信されたデータおよび制御信号を復元するために復号およびデインターリーブされる。データおよび制御信号は、次いで、レイヤ3およびレイヤ2の機能を実装するコントローラ/プロセッサ359に提供される。
【００３３】
コントローラ/プロセッサ359は、プログラムコードとデータとを記憶するメモリ360に関連付けることができる。メモリ360は、コンピュータ可読媒体と呼ばれることがある。ULでは、コントローラ/プロセッサ359は、EPC160からのIPパケットを復元するために、トランスポートチャネルと論理チャネルとの間の逆多重化と、パケットリアセンブリと、解読と、ヘッダ解凍と、制御信号処理とを行う。コントローラ/プロセッサ359はまた、HARQ動作をサポートするために、ACKおよび/またはNACKプロトコルを使用する誤り検出に関与する。
【００３４】
eNB310によるDL送信に関して記載された機能と同様に、コントローラ/プロセッサ359は、システム情報(たとえば、MIB、SIB)収集、RRC接続、および測定報告に関連するRRCレイヤ機能と、ヘッダ圧縮/解凍およびセキュリティ(暗号化、解読、完全性保護、完全性検証)に関連するPDCPレイヤ機能と、上位レイヤPDUの転送、ARQを介した誤り訂正、RLC SDUの連結、セグメンテーション、およびリアセンブリ、RLCデータPDUの再セグメンテーション、ならびにRLCデータPDUの並べ替えに関連するRLCレイヤ機能と、論理チャネルとトランスポートチャネルとの間のマッピング、TB上へのMAC SDUの多重化、TBからのMAC SDUの逆多重化、スケジューリング情報報告、HARQを介した誤り訂正、優先度処理、および論理チャネル優先度付けに関連するMACレイヤ機能とを提供する。
【００３５】
eNB310によって送信された基準信号またはフィードバックからチャネル推定器358によって導出されたチャネル推定値は、適切なコーディングおよび変調方式を選択するために、ならびに空間処理を容易にするために、TXプロセッサ368によって使用されてもよい。TXプロセッサ368によって生成された空間ストリームは、別個のトランスミッタ354TXを介して異なるアンテナ352に提供される場合がある。各トランスミッタ354TXは、送信のためにそれぞれの空間ストリームでRFキャリアを変調してもよい。
【００３６】
UL送信は、UE350におけるレシーバ機能に関して記載された方式と同様の方式で、eNB310において処理される。各レシーバ318RXは、レシーバのそれぞれのアンテナ320を介して信号を受信する。各レシーバ318RXは、RFキャリア上に変調された情報を復元し、その情報をRXプロセッサ370に提供する。
【００３７】
コントローラ/プロセッサ375は、プログラムコードおよびデータを記憶するメモリ376に関連付けることができる。メモリ376は、コンピュータ可読媒体と呼ばれることがある。ULでは、コントローラ/プロセッサ375は、UE350からのIPパケットを復元するために、トランスポートチャネルと論理チャネルとの間の逆多重化と、パケットリアセンブリと、解読と、ヘッダ解凍と、制御信号処理とを行う。コントローラ/プロセッサ375からのIPパケットは、EPC160に提供される場合がある。コントローラ/プロセッサ375はまた、HARQ動作をサポートするために、ACKおよび/またはNACKプロトコルを使用する誤り検出に関与する。
【００３８】
図4Aは、アクセスネットワークにおけるMBSFNエリアの一例を示す図410である。セル412'中のeNB412は、第1のMBSFNエリアを形成してもよく、セル414'中のeNB414は、第2のMBSFNエリアを形成してもよい。eNB412、414はそれぞれ、他のMBSFNエリア、たとえば、合計8つまでのMBSFNエリアに関連付けられてもよい。MBSFNエリア内のセルは、予約済みセルに指定されてもよい。予約済みセルは、マルチキャスト/ブロードキャストのコンテンツを提供しないが、セル412'、414'に時間同期され、MBSFNエリアへの干渉を制限するために、MBSFNリソース上で制限された電力を有してもよい。MBSFNエリア中の各eNBは、同じeMBMSの制御情報およびデータを同期的に送信する。各エリアは、ブロードキャストサービス、マルチキャストサービス、およびユニキャストサービスをサポートしてもよい。ユニキャストサービスは、特定のユーザを対象とするサービス、たとえば、音声通話である。マルチキャストサービスは、ユーザのグループによって受信されることがあるサービス、たとえば、サブスクリプションビデオサービスである。ブロードキャストサービスは、すべてのユーザによって受信されることがあるサービス、たとえば、ニュース放送である。図4Aを参照すると、第1のMBSFNエリアは、特定のニュース放送をUE425に提供することなどによって、第1のeMBMSブロードキャストサービスをサポートしてもよい。第2のMBSFNエリアは、異なるニュース放送をUE420に提供することなどによって、第2のeMBMSブロードキャストサービスをサポートしてもよい。
【００３９】
図4Bは、MBSFNにおけるeMBMSチャネル構成の一例を示す図430である。図4Bに示すように、各MBSFNエリアは、1つまたは複数の物理マルチキャストチャネル(PMCH)(たとえば、15個のPMCH)をサポートする。各PMCHは、MCHに対応する。各MCHは、複数(たとえば、29個)のマルチキャスト論理チャネルを多重化してもよい。各MBSFNエリアは、1つのマルチキャスト制御チャネル(MCCH)を有してもよい。したがって、1つのMCHは、1つのMCCHおよび複数のマルチキャストトラフィックチャネル(MTCH)を多重化してもよく、残りのMCHは、複数のMTCHを多重化してもよい。
【００４０】
UEは、eMBMSサービスアクセスおよび対応するアクセス層構成の利用可能性を発見するために、LTEセルにキャンプオンしてもよい。最初に、UEはSIB13(SIB13)を収集する場合がある。その後、SIB13に基づいて、UEはMCCH上でMBSFNエリア構成メッセージを取得する場合がある。その後、MBSFNエリア構成メッセージに基づいて、UEはMSI MAC制御要素を取得する場合がある。SIB13は、(1)セルによってサポートされる各MBSFNエリアのMBSFNエリア識別子、(2)MCCH反復期間(たとえば、32、64、...、256フレーム)、MCCHオフセット(たとえば、0、1、...、10フレーム)、MCCH変更期間(たとえば、512、1024フレーム)、シグナリングの変調およびコーディング方式(MCS)、反復期間およびオフセットによって示されるような無線フレームのどのサブフレームがMCCHを送信できるのかを示すサブフレーム割振り情報などの、MCCHを取得するための情報、ならびに(3)MCCH変更通知構成を含む場合がある。各MBSFNエリアに対して、1つのMBSFNエリア構成メッセージがある。MBSFNエリア構成メッセージは、(1)一時モバイルグループ識別情報(TMGI:temporary mobile group identity)およびPMCH内の論理チャネル識別子によって識別される各MTCHのオプションのセッション識別子、ならびに(2)MBSFNエリアの各PMCHを送信するための割り振られたリソース(すなわち、無線フレームおよびサブフレーム)およびエリア中のすべてのPMCHのための割り振られたリソースの割振り期間(たとえば、4、8、...、256個のフレーム)、ならびに(3)MSI MAC制御要素が送信されるMCHスケジューリング期間(MSP)(たとえば、8、16、32、...、または1024個の無線フレーム)を示す場合がある。特定のTMGIは、利用可能なMBMSサービスのうちの特定のサービスを識別する。
【００４１】
図4Cは、MSI MAC制御要素のフォーマットを示す図440である。MSI MAC制御要素は、MSPごとに一度送信されてもよい。MSI MAC制御要素は、PMCHの各スケジューリング期間の最初のサブフレームにおいて送信されてもよい。MSI MAC制御要素は、PMCH内の各MTCHのストップフレームおよびサブフレームを示すことができる。MBSFNエリアごとにPMCH当たり1つのMSIがあってもよい。論理チャネル識別子(LCID)フィールド(たとえば、LCID1、LCID2、...、LCIDn)は、MTCHの論理チャネル識別子を示す場合がある。ストップMTCHフィールド(たとえば、ストップMTCH1、ストップMTCH2、...、ストップMTCHn)は、特定のLCIDに対応するMTCHを搬送する最後のサブフレームを示す場合がある。
【００４２】
ブロードキャストのビデオコンテンツをストリーミングするユーザの数の増加に起因して、ワイヤレス通信システム(たとえば、非レガシーワイヤレス通信システム)が今やスタンドアロンMBSFNセルを含む場合がある。スタンドアロンMBSFNセルは、スタンドアロンMBSFNセルの帯域幅がストリーミングサービスのブロードキャストに大部分割り振られるので、非レガシーUEを有する個人に対してユーザエクスペリエンスの改善をもたらす場合がある。しかしながら、レガシーUE(たとえば、より古いバージョンのUE)を有する個人は、スタンドアロンMBSFNセルに関連するセル捕捉情報を検出することが可能であるが、スタンドアロンMBSFNセルを捕捉することは可能ではない場合がある。したがって、レガシーUEは、レガシーUEが通信する機能を備えていない検出されたMBSFNセルを捕捉しようとして時間およびバッテリー電力を浪費する場合がある。
【００４３】
この問題に対処するために、本開示は、非レガシーUEがスタンドアロンMBSFNセルを捕捉することを可能にし、レガシーUEがスタンドアロンMBSFNセルを捕捉しようとするのを防止する様々なUE回避方式を提供する。
【００４４】
図5は、非レガシーUEがスタンドアロンMBSFNセルを捕捉することを可能にし、レガシーUEがスタンドアロンMBSFN専用セルを捕捉しようとするのを防止することができる例示的な通信システム500の図である。通信システム500は、スタンドアロンMBSFNセル502、非レガシーUE504(たとえば、スタンドアロンMBSFNセル502を捕捉する機能を備えたUE)、レガシーUE506(たとえば、スタンドアロンMBSFNセル502を捕捉する機能を備えていないUE)、および基地局508を含んでもよい。一態様では、スタンドアロンMBSFNセル502は、eMBMSスタンドアロンセルであってもよい。
【００４５】
図5に示すように、基地局508は、スタンドアロンMBSFNセル502(たとえば、eMBMSスタンドアロンセル)に関連するセル捕捉情報510を送信および/またはブロードキャストする場合がある。セル捕捉情報510は、非レガシーUE504とレガシーUE506の両方によって受信される場合がある。第1の構成では、セル捕捉情報510は基地局508によって、(たとえば、ユニキャストモードを使用して)発見サブフレームにおいて送信されてもよい。セル捕捉情報510を含む発見サブフレームは、時間期間(たとえば、80ms)ごとに一度送信されてもよい。いくつかの構成では、発見サブフレームは、PSS、SSS、PBCH、CRS、SIB、またはMIBのうちの少なくとも1つを含んでもよい。言い換えれば、発見サブフレームは、通常のセルのサブフレーム0と非常に似ている場合がある。たとえば、基地局508は、非MBSFNサブフレームにおいてPSS/SSS/PBCHまたはPDSCHおよびシステム情報(たとえば、セル捕捉情報510)を送信する場合がある。一態様では、非MBSFNサブフレームは、Δf=15kHzのサブキャリア間隔で送信されてもよい(たとえば、非MBSFNサブフレームにおける各サブキャリアは、15kHzの帯域幅を有する場合がある)。第2の構成では、セル捕捉情報510は、単一周波数ネットワーク(SFN)ブロードキャストモードで非レガシーUE504および/またはレガシーUE506によって受信される同期チャネルに含まれる場合がある。
【００４６】
非レガシーUE504およびレガシーUE506の各々は、セル捕捉情報510に関連する特性505に基づいてUE回避方式を検出する場合がある。レガシーUE506は、特性505を認識せず、そのため、スタンドアロンMBSFNセル502のセル捕捉/探索手順をストップする場合がある。しかしながら、特性505は、非レガシーUE504によって認識される場合がある。特性505が非レガシーUE504によって検出および/または認識された場合、非レガシーUE504は、スタンドアロンMBSFNセル502の基地局508に対するセル捕捉520を実行してもよい。
【００４７】
第1の例示的な実施形態では、セル捕捉情報510が基地局508によって発見サブフレームにおいて送信されるとき、特性505は、レガシーUE506によって認識されない変更されたPSSシーケンス、レガシーUE506によって認識されない変更されたSSSシーケンス、レガシーUE506によって認識されないPSSとSSSとの間の変更された分離、レガシーUE506によって認識されない変更されたPBCHペイロードサイズ、レガシーUE506によって認識されない変更されたPBCHスクランブリングシーケンス、レガシーUE506によって認識されない変更されたMIBスクランブリングシーケンス、および/またはレガシーUE506によって認識されない変更された帯域幅値のうちの少なくとも1つを含んでもよい。上記の変更された特性は、変更された特性がレガシーUE506にセル捕捉手順を省略させてもよいので、UE回避方式としての働きをしてもよい。しかしながら、上記の変更された特性の各々は、非レガシーUE504によって認識される場合があり、非レガシーUE504は、特性のうちの1つまたは複数に基づいてスタンドアロンMBSFNセル502のセル捕捉を実行する場合がある。
【００４８】
たとえば、特性505が変更されたPBCHスクランブリングシーケンスを含むとき、変更されたPBCHスクランブリングシーケンスは、変更された特性がレガシーUE506によって認識可能ではない場合があるので、UE回避方式としての働きをしてもよい。変更されたPBCHスクランブリングシーケンスがレガシーUE506によって認識可能ではないとき、レガシーUE506は、セル捕捉手順を省略してもよい。一構成では、PBCHスクランブリングシーケンスは、nfmod16=0を満たす各無線フレームにおいて
【数１】
2019516275.tif 000003
により初期化されてもよい。たとえば、cinitは、スクランブリングシーケンスの初期化であってもよく、
【数２】
2019516275.tif 000004
は、(たとえば、PSSおよび/またはSSSから取得された)物理セルIDであってもよく、nfは、無線フレーム番号であってもよい。さらに、nfmod16は、スクランブリングシーケンスが16無線フレームごとに初期化されることを示してもよい。しかしながら、変更されたPBCHスクランブリングシーケンスは、非レガシーUE504によって認識される場合があり、そのため、非レガシーUE504は、変更されたPBCHスクランブリングシーケンスに基づいてスタンドアロンMBSFNセル502のセル捕捉を実行する場合がある。
【００４９】
レガシー通信システムでは、セル捕捉情報は、レガシーセルに関するnの数の(a number of n)異なる帯域幅値(たとえば、それぞれ2つの予約済み値を有する3ビットのn6、n15、n25、n50、n75、n100)のうちの1つを含む場合がある。スタンドアロンMBSFNセルの変更された帯域幅値(たとえば、nMBSFN)を導入することによって、基地局508によって送信されたnMBSFN帯域幅値がレガシーUE506によって認識されないので、レガシーUE506はセル探索をストップしてもよい。代替的に、非レガシーUE504は、nMBSFN値を、スタンドアロンMBSFNセル(たとえば、セル502)の帯域幅値と解釈し、nMBSFN帯域幅値に基づいてスタンドアロンMBSFNセル502を捕捉してもよい。一態様では、帯域幅値は基地局508によって、PHICHの構成フィールドを使用することによって、またはスペアビットを使用することによって送信されてもよい。
【００５０】
第2の例示的な実施形態では、セル捕捉情報510(たとえば、MIBおよび/またはSIB)は基地局508によって、異なるサイクリックプレフィックス長(たとえば、33μs、66μs、200μs)をサポートする場合がある単一周波数ブロードキャストモードで送信されてもよい。
【００５１】
第2の例示的な実施形態の第1の態様では、特性505は、変更されたPSSシーケンスまたは変更されたSSSシーケンスのうちの少なくとも1つを含んでもよい。第1の態様では、非レガシーUE504は、変更されたPSSシーケンスまたは変更されたSSSシーケンスのうちの少なくとも1つを検出することと、セル捕捉情報に関連するサイクリックプレフィックス長を決定することとによって、セル捕捉を実行してもよい。
【００５２】
第2の例示的な実施形態の第2の態様では、特性505は、固定サイクリックプレフィックス長を有するPSSシーケンスまたは固定サイクリックプレフィックス長を有する変更されたSSSシーケンスのうちの少なくとも1つを含んでもよい。たとえば、同期および/またはブロードキャストチャネルは基地局508によって、共通サイクリックプレフィックスを使用して送信されてもよい。第2の態様では、非レガシーUE504は、固定サイクリックプレフィックス長を有するPSSシーケンスまたは固定サイクリックプレフィックス長を有するSSSシーケンスのうちの一方を検出することによってセル捕捉を実行し、異なるサイクリックプレフィックス長に基づいてPSSシーケンスまたはSSSシーケンスのうちの他方をブラインド復号してもよい。たとえば、基地局508によって送信されたPSSが一定の長さ(たとえば、200μs)を有する場合、非レガシーUE504は、異なるサイクリックプレフィックス長を使用して、基地局508によって送信されたSSSをブラインド復号してもよい。代替的に、SSSは、基地局508によってPSSと同じサイクリックプレフィックス長で送信されてもよく、サイクリックプレフィックス長についての情報を含んでもよい。
【００５３】
第2の例示的な実施形態の第3の態様では、特性505は、固定シンボル持続時間を有するPSSシーケンスまたは固定シンボル持続時間を有するSSSシーケンスのうちの少なくとも1つを含んでもよい。たとえば、基地局508によって送信されるPSSまたはSSSのシンボル持続時間が同じであり、サイクリックプレフィックスが異なる場合、サイクリックプレフィックスにかかわらず同じPSSまたはSSSシーケンスが送信されてもよい。第3の態様では、非レガシーUE504は、PSSシーケンスの固定シンボル持続時間またはSSSシーケンスの固定シンボル持続時間に基づいてサイクリックプレフィックス長をブラインド検出することによって、セル捕捉を実行してもよい。
【００５４】
上記に基づいて、図5に示す通信システム500は、非レガシーUEがスタンドアロンMBSFNセルを捕捉することを可能にし、レガシーUEがスタンドアロンMBSFN専用セルを捕捉しようとして時間/バッテリー電力を浪費するのを防止することによって、上述した問題の解決策を提供してもよい。
【００５５】
図6は、通知専用セルを含む例示的な通信システム600の図である。たとえば、通信システム600は、サービングセル602aに位置するUE604およびサービング基地局606を含む場合がある。さらに、通信システム600は、近隣基地局608を含む近隣セル602bを含む場合がある。
【００５６】
一態様では、サービングセル602aは、好適セル、許容可能セル、または通知専用セルのうちの1つを含む場合がある。好適セルは、たとえば、UE604が通常のサービス(たとえば、データサービスおよび/または音声サービス)を取得する場合があるセルであってもよい。許容可能セルは、たとえば、UE604がモバイルアラートメッセージを取得し、緊急呼を開始する場合があるセルであってもよい。通知専用セルは、たとえば、UE604がモバイルアラートメッセージおよびeMBMSサービスのみを取得する場合があるスタンドアロンMBSFNセル(たとえば、eMBMSスタンドアロンセル)であってもよい。一態様では、モバイルアラートメッセージは、地震および津波警報システム(ETWS:Earthquake and Tsunami Warning System)メッセージならびに/または商用モバイルアラートシステム(CMAS:Commercial Mobile Alert System)メッセージのうちの1つまたは複数を含んでもよい。
【００５７】
図6を参照すると、UE604は、それぞれサービング基地局606および近隣基地局608から情報610、620を受信する場合がある。UE604は、受信された情報610、620に基づいて、サービングセル602aおよび近隣セル602bの各々のセルタイプ605を検出する場合がある。一態様では、セルタイプは、UE604によって実行されるモバイルアラートサービスセルキャンピング手順の一部として検出される場合がある。たとえば、検出されるセルタイプは、好適セル、許容可能セル、または通知専用セルのうちの1つである場合がある。サービングセル602aが通知専用セルである場合、UE604は、近隣セル602bが好適セルまたは許容可能セルではない場合にサービングセル602aにキャンプオンしてもよい。
【００５８】
サービングセル602aと近隣セル602bの両方が通知専用セルである第1の例示的な実施形態では、UE604は、以下で述べる通知専用セル再選択セル手順に基づいて、サービングセル602aから近隣セル602bに再選択する605場合がある。
【００５９】
第1の例示的な実施形態の第1の態様では、近隣セル602bは、近隣セル602b内の1つまたは複数の送信ポイント(たとえば、近隣基地局608および図6に示されていない少なくとも1つの他の送信ポイント)から、UE604によって検出される少なくとも1つのCRSを含むユニキャストサブフレームを送信および/またはブロードキャストしてもよい。UE604は、近隣セル602b内の近隣基地局608および任意の他の送信ポイントから受信されたユニキャストサブフレーム620において検出された少なくとも1つのCRSに基づいて、近隣セル602bの品質605を測定してもよい。セルの測定された品質に基づいて、UE604は、近隣セル602bの品質が所定量以上であるときにサービングセル602aから近隣セル602bに再選択する605ことを選んでもよい。
【００６０】
第1の例示的な実施形態の第2の態様では、近隣セル602bは、近隣セル602b内の1つまたは複数の送信ポイント(たとえば、近隣基地局608および図6に示されていない少なくとも1つの他の送信ポイント)から、少なくとも1つの基準信号(たとえば、MBSFN基準信号(MBSFN-RS))を含む単一周波数ネットワークサブフレームを送信および/またはブロードキャストしてもよい。UE604は、近隣セル602b内の近隣基地局608および任意の他の送信ポイントからの単一周波数ネットワークサブフレーム620において検出された少なくとも1つの基準信号に基づいて、近隣セル602bの品質605を測定してもよい。たとえば、セルの品質は、基準信号受信電力(RSRP)または基準信号受信品質(RSRQ)のうちの少なくとも1つを含む場合がある。近隣セル602bの測定された品質に基づいて、UE604は、近隣セル602bの品質が所定量以上であるときにサービングセル602aから近隣セル602bに再選択する605ことを選んでもよい。通知専用セルにキャンプオンしている間のセル再選択のさらなる詳細は、図7に関して後述する。
【００６１】
第2の例示的な実施形態では、通知専用セル(たとえば、サービングセル602a)にキャンプオンしている間に、UE604は、サービング基地局606によって送信および/またはブロードキャストされたモバイルアラート610がないかユニキャストページングを監視する605場合がある。UE604は、ユニキャストサブフレームまたはMBSFNサブフレームにおいて、モバイルアラート610に関連するSIB610を受信する場合がある。さらに、モバイルアラート610がユニキャストサブフレームまたはMBSFNサブフレームにおいて受信される場合がある。
【００６２】
第3の例示的な実施形態では、UE604は、サービング基地局606によって送信および/またはブロードキャストされた1つまたは複数のMBSFNサブフレームにおけるPMCHにおいて、モバイルアラート610を受信する場合がある。
【００６３】
第4の例示的な実施形態では、UE604は、サービングセル602a(たとえば、通知専用セル)の領域において利用可能な1つまたは複数のMBSFNサービスのリスト610を受信する場合がある。たとえば、領域は、サービングセル602aおよび/または追加のMBSFNサービスを提供する1つもしくは複数の近隣セル(たとえば、近隣セル602b)のうちの少なくとも1つを含む場合がある。一態様では、リスト610は、少なくとも1つのMBSFNチャネル、少なくとも1つのMBSFNセル、サイクリックプレフィックス長、帯域幅、セル識別情報、コロケーション、またはサポートされるサービスに関連する情報を含んでもよい。
【００６４】
第5の例示的な実施形態では、サービングセル602aは、制御領域(たとえば、PDCCH)を有するいくつかのサブフレームおよび制御領域を含まなくてもよい他のサブフレームを送信および/またはブロードキャストする場合がある。サービング基地局606はUE604に、どのサブフレームが制御領域を有し、どのサブフレームが制御領域を有しないかをシグナリングする610場合がある。さらに、サービング基地局606は、各サブフレームに関連するサイクリックプレフィックス(CP)および/またはヌメロロジーをシグナリングする場合がある。たとえば、UE604は、制御情報を含む第1のサブフレームおよび制御情報を含まない第2のサブフレームを示す第1のシグナリング610を受信する場合がある。さらに、UE604は、各サブフレームに関連するシンボル長または制御領域サイズのうちの少なくとも1つを示す第2のシグナリング610を受信する場合がある。たとえば、UE604は、シンボル長または制御領域サイズのうちの1つまたは複数に基づいて、各サブフレームに関連する特定のサイクリックプレフィックス長またはヌメロロジーのうちの少なくとも1つを決定する(605)場合がある。別の態様では、UE604は、各サブフレームに関連するサイクリックプレフィックス長またはヌメロロジーのうちの少なくとも1つを示す第3のシグナリング610を受信する場合がある。たとえば、サービング基地局606は、第1のシグナリング、第2のシグナリング、および第3のシグナリングにおいて、サブフレームの各々に関連するサイクリックプレフィックス長、シンボル長および/またはヌメロロジーを示すために、一定数のビット(たとえば、1ビット)を使用してもよい。
【００６５】
たとえば、下のTable 1(表1)は、第1のシグナリングおよび第2のシグナリングにおいて提供される情報の一例を示す。
【表１】
2019516275.tif 000005
【００６６】
さらに、第1のシグナリングおよび第3のシグナリングがマージされてもよい。第1のシグナリングおよび第3のシグナリングをマージすることによって、制御シンボルなし、制御情報の1OFDMシンボル、または制御情報の2OFDMシンボルを示す情報が提供されてもよい。下のTable 2(表2)は、第1のシグナリングおよび第3のシグナリングのマージにおいて提供される情報の一例を示す。
【表２】
2019516275.tif 000006
【００６７】
さらに、サイクリックプレフィックス、ヌメロロジー、および/またはシンボル長の決定は、制御情報を有するサブフレームおよび制御情報を有しないサブフレームの場合に異なってもよい。その上、サイクリックプレフィックス、ヌメロロジー、および/またはシンボル長の決定は、制御OFDM領域がノーマルサイクリックプレフィックス(NCP)ヌメロロジーを使用するか、それとも拡張サイクリックプレフィックス(ECP)ヌメロロジーを使用するかに応じて異なってもよい。たとえば、200μsのサイクリックプレフィックスは、制御なしのサブフレームにのみ利用可能である場合がある。しかしながら、NCPヌメロロジーが制御の1OFDMシンボルとともに使用されるとき、サイクリックプレフィックスは、第1のOFDMシンボルの長さで縮小する場合がある(2048+160Ts=71.91μs)。
【００６８】
上記に基づいて、本開示は、eMBMSサービスを提供する通知専用セルおよび通知専用セルのセル再選択手順を提供する。
【００６９】
図7は、UE(たとえば、UE104、350、604、装置1202/1202')によって実行される通知専用セル再選択手順のためのフロー図700である。
【００７０】
702において、UEは、(たとえば、セルタイプの階層に基づいて)セルのセル選択を実行してもよい。たとえば、好適セルへのキャンプオンは最も高い優先度を有してもよく、許容可能セルへのキャンプオンは、通知専用セルを上回る次に高い優先度を有してもよく、通知セルへのキャンプオンは、好適セルも許容可能セルもない場合に選択されてもよい。
【００７１】
たとえば、好適セルを発見場合、704において、UEは好適セルにキャンプオンしてもよい。好適セルを発見せず、許容可能セルを発見した場合、706において、UEは許容可能セルにキャンプオンしてもよい。しかしながら、好適セルまたは許容可能セルを発見できなかった場合、708において、UEは通知専用セルにキャンプオンしてもよい。
【００７２】
710において、UEが通知専用セルにキャンプオンしている間、セル再選択評価プロセス710がトリガされてもよい。セル再選択評価プロセスの間に好適セルを発見した場合、712において、UEは好適セルにキャンプオンすることを再選択する(たとえば、セル再選択手順を実行する)。セル再選択評価プロセスの間に好適セルを発見せず、許容可能セルを発見した場合、714において、UEは許容可能セルにキャンプオンすることを再選択してもよい。しかしながら、セル再選択評価プロセスの間に好適セルも、許容可能セルも発見できなかった場合、UEは、セル品質測定に基づいて、通知専用セル708にとどまるか、または近隣通知専用セルにキャンプオンすることを再選択してもよい。
【００７３】
図8は、様々な態様による、ワイヤレス通信の方法のフローチャート800である。本方法は、非レガシーUE(たとえば、104、350、420、425、504、装置902/902')などのUEによって実行されてもよい。図8では、破線で示す動作は、本開示の様々な態様のオプションの動作を表す。
【００７４】
802において、UEは、eMBMSスタンドアロンセルに関連するセル捕捉情報を受信する場合がある。一態様では、セル捕捉情報は、ユニキャストモードで受信される発見サブフレームに含まれる場合がある。別の態様では、発見サブフレームは、PSS、SSS、PBCH、CRS、SIB、またはMIBのうちの少なくとも1つを含んでもよい。さらなる態様では、セル捕捉情報は、単一周波数ネットワークブロードキャストモードで受信される同期チャネルに含まれる場合がある。さらなる態様では、UEは非レガシーUEであってもよい。たとえば、図5を参照すると、基地局508は、スタンドアロンMBSFNセル502(たとえば、eMBMSスタンドアロンセル)に関連するセル捕捉情報510を送信および/またはブロードキャストする場合がある。セル捕捉情報510は、非レガシーUE504とレガシーUE506の両方によって受信される場合がある。一態様では、セル捕捉情報510は基地局508によって、(たとえば、ユニキャストモードを使用して)発見サブフレームにおいて送信されてもよい。たとえば、セル捕捉情報510を含む発見サブフレームは非レガシーUE504およびレガシーUE506によって、時間期間(たとえば、80ms)ごとに一度受信される場合がある。上述のように、発見サブフレームは、PSS、SSS、PBCH、CRS、SIB、またはMIBのうちの少なくとも1つを含んでもよい。言い換えれば、発見サブフレームは、通常のセルのサブフレーム0と非常に似ている場合がある。上述の代替態様では、セル捕捉情報510は、単一周波数ネットワークブロードキャストモードで非レガシーUE504および/またはレガシーUE506によって受信される同期チャネルに含まれる場合がある。
【００７５】
804において、UEは、セル捕捉情報に関連する特性に基づいてUE回避方式を検出する場合がある。一態様では、UE回避方式はレガシーUE回避方式であってもよい。別の態様では、特性は、変更されたPBCHスクランブリングシーケンスを含む場合がある。たとえば、図5を参照すると、非レガシーUE504およびレガシーUE506は、セル捕捉情報510に関連する特性505に基づいてUE回避方式を検出する場合がある。レガシーUE506は、特性505を認識しない場合があり、そのため、スタンドアロンMBSFNセル502のセル捕捉/探索手順をストップする場合がある。たとえば、PBCHスクランブリングシーケンスが新しいスクランブリングシーケンスに変更された場合、レガシーUE506は、それをレガシースクランブリングシーケンスとともに復号しようと試みる場合があり、その結果、UEはそれを復号することができず、捕捉手順をストップすることになる。しかしながら、特性505は、非レガシーUE504によって認識される場合がある。特性505が非レガシーUE504によって検出された場合、非レガシーUE504は、認識された特性505に基づいて、スタンドアロンMBSFNセル502の基地局508に対するセル捕捉520を実行してもよい。第1の例示的な実施形態では、セル捕捉情報510が基地局508によって発見サブフレームにおいて送信されるとき、特性505は、レガシーUE506によって認識されない変更されたPSSシーケンス、レガシーUE506によって認識されない変更されたSSSシーケンス、レガシーUE506によって認識されないPSSとSSSとの間の変更された分離、レガシーUE506によって認識されない変更されたPBCHペイロードサイズ、レガシーUE506によって認識されない変更されたPBCHスクランブリングシーケンス、レガシーUE506によって認識されない変更されたMIBスクランブリングシーケンス、および/またはレガシーUE506によって認識されない変更された帯域幅値のうちの少なくとも1つを含んでもよい。このようにして、上記の変更された特性は、変更された特性がレガシーUE506にセル捕捉手順を省略させることになるので、UE回避方式としての働きをしてもよい。
【００７６】
806において、UEは、特性に基づいてeMBMSスタンドアロンセルに対するセル捕捉を実行してもよい。たとえば、図5を参照すると、特性505が非レガシーUE504によって検出された場合、非レガシーUE504は、認識された特性505に基づいて、スタンドアロンMBSFNセル502の基地局508に対するセル捕捉520を実行してもよい。
【００７７】
808において、UEは、変更されたPBCHスクランブリングシーケンスまたは変更されたMIB CRCスクランブリングシーケンスを検出する場合がある。たとえば、図5を参照すると、セル捕捉情報510が基地局508によって発見サブフレームにおいて送信されるとき、特定505は、レガシーUE506によって認識されない変更されたPBCHスクランブリングシーケンスおよび/または変更されたMIBスクランブリングシーケンスを含む場合がある。このようにして、変更されたPBCHスクランブリングシーケンスおよび/または変更されたMIBスクランブリングシーケンスは、変更された特性がレガシーUE506にセル捕捉手順を省略させてもよいので、UE回避方式としての働きをしてもよい。しかしながら、変更されたPBCHスクランブリングシーケンスおよび/または変更されたMIBスクランブリングシーケンスは、非レガシーUE504によって認識される場合があり、そのため、非レガシーUE504は、変更されたPBCHスクランブリングシーケンスおよび/または変更されたMIBスクランブリングシーケンスに基づいてスタンドアロンMBSFNセル502のセル捕捉を実行する場合がある。
【００７８】
810において、UEは、特性が変更されたPSSシーケンスまたは変更されたSSSシーケンスを含むときに、変更されたPSSシーケンスまたは変更されたSSSシーケンスのうちの少なくとも1つを検出する場合がある。たとえば、図5を参照すると、非レガシーUE504は、変更されたPSSシーケンスまたは変更されたSSSシーケンスのうちの少なくとも1つを検出することと、変更されたPSSシーケンスまたは変更されたSSSシーケンスに基づいて、セル捕捉情報に関連するサイクリックプレフィックス長を決定することとによって、セル捕捉を実行してもよい。
【００７９】
812において、UEは、変更されたPSSシーケンスまたは変更されたSSSシーケンスに基づいて、セル捕捉情報に関連するサイクリックプレフィックス長を決定してもよい。たとえば、図5を参照すると、特性505が非レガシーUE504によって検出された場合、非レガシーUE504は、認識された特性505に基づいて、スタンドアロンMBSFNセル502の基地局508に対するセル捕捉520を実行してもよい。一例では、PSSとSSSとの間の分離は、サイクリックプレフィックス長ごとに異なる場合がある。PSSを検出した後、UEは、異なるCP長に関係する異なる分離仮定によりSSSを検出しようと試みる場合がある。
【００８０】
814において、UEは、特性が固定サイクリックプレフィックス長を有するPSSシーケンスまたはSSSシーケンスを含むときに、固定サイクリックプレフィックス長を有するPSSシーケンスまたは固定サイクリックプレフィックス長を有するSSSシーケンスのうちの一方を検出する場合がある。たとえば、図5を参照すると、特性505は、固定サイクリックプレフィックス長を有するPSSシーケンスまたは固定サイクリックプレフィックス長を有する変更されたSSSシーケンスのうちの少なくとも1つを含んでもよい。たとえば、同期および/またはブロードキャストチャネルは、共通サイクリックプレフィックスを使用して送信されてもよい。この第2の態様では、非レガシーUE504は、固定サイクリックプレフィックス長を有するPSSシーケンスまたは固定サイクリックプレフィックス長を有するSSSシーケンスのうちの一方を検出することによってセル捕捉を実行し、異なるサイクリックプレフィックス長に基づいてPSSシーケンスまたはSSSシーケンスのうちの他方をブラインド復号してもよい。たとえば、基地局508によって送信されたPSSが一定の長さ(たとえば、200μs)を有する場合、非レガシーUE504は、異なるサイクリックプレフィックス長に関して基地局508によって送信されたSSSをブラインド復号してもよい。
【００８１】
816において、UEは、異なるサイクリックプレフィックス長に基づいてPSSシーケンスまたはSSSシーケンスのうちの他方をブラインド復号してもよい。たとえば、図5を参照すると、特性505は、固定サイクリックプレフィックス長を有するPSSシーケンスまたは固定サイクリックプレフィックス長を有する変更されたSSSシーケンスのうちの少なくとも1つを含んでもよい。たとえば、同期および/またはブロードキャストチャネルは、共通サイクリックプレフィックスを使用して送信されてもよい。この第2の態様では、非レガシーUE504は、固定サイクリックプレフィックス長を有するPSSシーケンスまたは固定サイクリックプレフィックス長を有するSSSシーケンスのうちの一方を検出することによってセル捕捉を実行し、異なるサイクリックプレフィックス長に基づいてPSSシーケンスまたはSSSシーケンスのうちの他方をブラインド復号してもよい。たとえば、基地局508によって送信されたPSSが一定の長さ(たとえば、200μs)を有する場合、非レガシーUE504は、異なるサイクリックプレフィックス長に関して基地局508によって送信されたSSSをブラインド復号してもよい。
【００８２】
818において、UEは、特性が固定シンボル持続時間を有するPSSシーケンスまたは固定シンボル持続時間を有するSSSシーケンスを含むときに、PSSシーケンスの固定シンボル持続時間またはSSSシーケンスの固定シンボル持続時間に基づいてサイクリックプレフィックス長をブラインド検出する場合がある。たとえば、図5を参照すると、特性505は、固定シンボル持続時間を有するPSSシーケンスまたは固定シンボル持続時間を有するSSSシーケンスのうちの少なくとも1つを含んでもよい。たとえば、基地局508によって送信されるシンボル持続時間が同じであり、サイクリックプレフィックスが異なる場合、サイクリックプレフィックスにかかわらず同じシーケンスが送信されてもよい。この第3の態様では、非レガシーUE504は、PSSシーケンスの固定シンボル持続時間またはSSSシーケンスの固定シンボル持続時間に基づいてサイクリックプレフィックス長をブラインド検出することによって、セル捕捉を実行してもよい。
【００８３】
図9は、例示的な装置902中の異なる手段/コンポーネント間のデータフローを示す概念データフロー図900である。本装置は、eMBMSスタンドアロンセルに位置する基地局950(たとえば、基地局102、310、412、414、508、606、608)と通信しているUE(たとえば、UE104、350、420、425、504、604、装置902')であってもよい。受信コンポーネント904は、基地局950からセル捕捉情報901を受信する場合がある。一態様では、セル捕捉情報901は、ユニキャストモードで受信される発見サブフレームに含まれる場合がある。別の態様では、発見サブフレームは、PSS、SSS、PBCH、CRS、SIB、またはMIBのうちの少なくとも1つを含んでもよい。さらなる態様では、セル捕捉情報は、単一周波数ネットワークブロードキャストモードで受信される同期チャネルに含まれる場合がある。受信コンポーネント904は、セル捕捉情報に関連する信号903を検出コンポーネント906に送信してもよい。検出コンポーネント906は、受信コンポーネント904から受信された情報903に関連する特性に基づいてUE回避方式を検出する場合がある。たとえば、UE回避方式はレガシーUE回避方式であってもよい。第1の例では、特性は、変更されたPBCHスクランブリングシーケンスを含む場合がある。検出コンポーネント906は、変更されたPBCHスクランブリングシーケンスを検出し、変更されたPBCHスクランブリングシーケンスに関連する信号905をセル捕捉コンポーネント912に送信する場合がある。セル捕捉コンポーネント912は、変更されたPBCHスクランブリングシーケンスに基づいて、eMBMSスタンドアロンセルに対するセル捕捉を実行し、捕捉されたeMBMSスタンドアロンセルに関連する信号907、909を受信コンポーネント904および/または送信コンポーネント914のうちの少なくとも1つに送信してもよい。第2の例では、特性は、変更されたPSSおよび/または変更されたSSSを含んでもよく、検出コンポーネント906は、変更されたPSSおよび/または変更されたSSSに関連する信号911を決定コンポーネント908に送信してもよい。決定コンポーネント908は、変更されたPSSシーケンスまたは変更されたSSSシーケンスに基づいて、セル捕捉情報に関連するCP長を決定し、決定されたCP長に関連する信号913をセル捕捉コンポーネント912に送信してもよい。セル捕捉コンポーネント912は、決定されたCP長に基づいて、eMBMSスタンドアロンセルに対するセル捕捉を実行し、捕捉されたeMBMSスタンドアロンセルに関連する信号907、909を受信コンポーネント904および/または送信コンポーネント914のうちの少なくとも1つに送信してもよい。第3の例では、特性は、固定CP長を有するPSSまたはSSSを含む場合があり、検出コンポーネント906は、固定CP長を有するPSSシーケンスまたは固定CP長を有するSSSシーケンスのうちの一方を検出する場合がある。検出コンポーネント906は、固定CP長を有するPSSまたはSSSに関連する信号915を復号コンポーネント910に送信してもよい。復号コンポーネント910は、異なるCP長に基づいてPSSシーケンスまたはSSSシーケンスのうちの他方をブラインド復号し、PSSシーケンスまたはSSSシーケンスのうちの1つまたは複数に関連する信号917をセル捕捉コンポーネント912に送信してもよい。セル捕捉コンポーネント912は、決定されたPSSシーケンスおよび/またはSSSシーケンスのうちの少なくとも1つに基づいて、eMBMSスタンドアロンセルに対するセル捕捉を実行し、捕捉されたeMBMSスタンドアロンセルに関連する信号907、909を受信コンポーネント904および/または送信コンポーネント914のうちの少なくとも1つに送信してもよい。第4の例では、特性は、固定シンボル持続時間を有するPSSシーケンスまたは固定シンボル持続時間を有するSSSシーケンスを含んでもよい。検出コンポーネント906は、固定シンボル持続時間を有するPSSシーケンスまたは固定シンボル持続時間を有するSSSシーケンスを検出する場合があり、固定シンボル持続時間を有するPSSシーケンスまたは固定シンボル持続時間を有するSSSシーケンスに関連する信号905をセル捕捉コンポーネント912に送信する場合がある。セル捕捉コンポーネント912は、固定シンボル持続時間を有するPSSシーケンスまたは固定シンボル持続時間を有するSSSシーケンスに基づいて、eMBMSスタンドアロンセルに対するセル捕捉を実行し、捕捉されたeMBMSスタンドアロンセルに関連する信号907、909を受信コンポーネント904および/または送信コンポーネント914のうちの少なくとも1つに送信してもよい。オプションで、本装置は送信コンポーネント914を含んでもよい。オプションの構成では、送信コンポーネント914は、セル捕捉コンポーネント912からセル捕捉(たとえば、スタンドアロンeMBMSセル)を実行することに関連する信号909を受信する場合があり、セル捕捉情報919および/またはUL通信919を、セルを捕捉するために基地局950に送信する場合がある。代替的に、本装置は、受信専用装置(たとえば、受信コンポーネント904を含むが、送信コンポーネント914を含まない場合がある装置)であってもよい。
【００８４】
本装置は、図8の上述のフローチャート中のアルゴリズムのブロックの各々を実行する追加のコンポーネントを含む場合がある。したがって、図8の上述のフローチャート中の各ブロックは、1つのコンポーネントによって実行されてもよく、本装置は、それらのコンポーネントのうちの1つまたは複数を含んでもよい。コンポーネントは、述べられたプロセス/アルゴリズムを遂行するように具体的に構成される1つもしくは複数のハードウェアコンポーネントであるか、述べられたプロセス/アルゴリズムを実行するように構成されるプロセッサによって実装されるか、プロセッサによる実装のためにコンピュータ可読媒体内に記憶されるか、またはそれらの何らかの組合せであってもよい。
【００８５】
図10は、処理システム1014を採用する装置902'のためのハードウェア実装形態の一例を示す図1000である。処理システム1014は、バス1024によって全体的に表されるバスアーキテクチャを用いて実装されてもよい。バス1024は、処理システム1014の特定の適用例および全体的な設計制約に応じて、任意の数のインターコネクトバスおよびブリッジを含んでもよい。バス1024は、プロセッサ1004によって表される1つまたは複数のプロセッサおよび/またはハードウェアコンポーネントと、コンポーネント904、906、908、910、912、914と、コンピュータ可読媒体/メモリ1006とを含む様々な回路を互いにリンクする。バス1024はまた、タイミングソース、周辺装置、電圧調整器、および電力管理回路などの様々な他の回路をリンクする場合があるが、これらの回路は当技術分野においてよく知られており、したがって、これ以上説明しない。
【００８６】
処理システム1014はトランシーバ1010に結合されてもよい。トランシーバ1010は1つまたは複数のアンテナ1020に結合される。トランシーバ1010は、伝送媒体を介して様々な他の装置と通信するための手段を提供する。トランシーバ1010は、1つまたは複数のアンテナ1020から信号を受信し、受信された信号から情報を抽出し、抽出された情報を処理システム1014、特に受信コンポーネント904に提供する。さらに、トランシーバ1010は、処理システム1014、特に送信コンポーネント914から情報を受信し、受信された情報に基づいて、1つまたは複数のアンテナ1020に印加されるべき信号を生成する。処理システム1014は、コンピュータ可読媒体/メモリ1006に結合されるプロセッサ1004を含む。プロセッサ1004は、コンピュータ可読媒体/メモリ1006に記憶されたソフトウェアの実行を含む、一般的な処理に関与する。ソフトウェアは、プロセッサ1004によって実行されると、任意の特定の装置に関して上記で説明した様々な機能を処理システム1014に実行させる。コンピュータ可読媒体/メモリ1006はまた、ソフトウェアを実行するときにプロセッサ1004によって操作されるデータを記憶するために使用されてもよい。処理システム1014は、コンポーネント904、906、908、910、912、914のうちの少なくとも1つをさらに含む。それらのコンポーネントは、プロセッサ1004内で動作し、コンピュータ可読媒体/メモリ1006に存在する/記憶されたソフトウェアコンポーネント、プロセッサ1004に結合される1つもしくは複数のハードウェアコンポーネント、またはそれらの何らかの組合せであってもよい。処理システム1014は、UE350のコンポーネントである場合があり、メモリ360、ならびに/または、TXプロセッサ368、RXプロセッサ356、およびコントローラ/プロセッサ359のうちの少なくとも1つを含む場合がある。
【００８７】
一構成では、ワイヤレス通信のための装置902/902'は、UEによって、eMBMSスタンドアロンセルに関連するセル捕捉情報を受信するための手段を含んでもよい。一態様では、セル捕捉情報は、ユニキャストモードで受信される発見サブフレームに含まれる場合がある。たとえば、発見サブフレームは、PSS、SSS、PBCH、CRS、SIB、またはMIBのうちの少なくとも1つを含んでもよい。別の態様では、セル捕捉情報は、単一周波数ネットワークブロードキャストモードで受信される同期チャネルに含まれる場合がある。別の構成では、ワイヤレス通信のための装置902/902'は、セル捕捉情報に関連する特性に基づいてUE回避方式を検出するための手段を含んでもよい。一態様では、UEは非レガシーUEであってもよく、UE回避方式はレガシーUE回避方式である。別の態様では、特性は、変更されたPSSシーケンス、変更されたSSSシーケンス、PSSとSSSとの間の変更された分離、変更されたPBCHペイロードサイズ、変更されたPBCHスクランブリングシーケンス、変更されたMIBスクランブリングシーケンス、変更された帯域幅値、固定シンボル持続時間を有するPSSシーケンス、および/または固定シンボル持続時間を有するSSSシーケンスのうちの少なくとも1つを含んでもよい。一態様では、セル捕捉を実行するための手段は、変更されたPBCHスクランブリングシーケンスまたは変更されたMIB CRCスクランブリングシーケンスを検出するように構成されてもよい。別の態様では、セル捕捉を実行するための手段は、変更されたPSSシーケンスまたは変更されたSSSシーケンスのうちの少なくとも1つを検出し、変更されたPSSシーケンスまたは変更されたSSSシーケンスに基づいて、セル捕捉情報に関連するサイクリックプレフィックス長を決定するように構成されてもよい。さらなる態様では、特性は、固定サイクリックプレフィックス長を有するPSSシーケンスまたは固定サイクリックプレフィックス長を有するSSSシーケンスのうちの少なくとも1つを含んでもよい。一態様では、セル捕捉を実行するための手段は、固定サイクリックプレフィックス長を有するPSSシーケンスまたは固定サイクリックプレフィックス長を有するSSSシーケンスのうちの一方を検出し、異なるサイクリックプレフィックス長に基づいてPSSシーケンスまたはSSSシーケンスのうちの他方をブラインド復号するように構成されてもよい。別の態様では、セル捕捉を実行するための手段は、PSSシーケンスの固定シンボル持続時間またはSSSシーケンスの固定シンボル持続時間に基づいてサイクリックプレフィックス長をブラインド検出するように構成されてもよい。上述の手段は、上述の手段によって列挙された機能を実行するように構成される装置902および/または装置902'の処理システム1014の上述のコンポーネントのうちの1つまたは複数であってもよい。上記で説明したように、処理システム1014は、TXプロセッサ368、RXプロセッサ356、およびコントローラ/プロセッサ359を含む場合がある。そのため、一構成では、上述の手段は、上述の手段によって列挙された機能を実行するように構成されるTXプロセッサ368、RXプロセッサ356、およびコントローラ/プロセッサ359であってもよい。
【００８８】
図11Aおよび図11Bは、様々な態様によるワイヤレス通信の方法のフローチャート1100である。本方法は、非レガシーUE(たとえば、104、350、420、425、504、装置1202/1202')などのUEによって実行されてもよい。図11Aおよび図11Bでは、破線で示す動作は、本開示の様々な態様のオプションの動作を表す。
【００８９】
図11Aでは、1102において、UEは、モバイルアラートサービスセルキャンピング手順の一部としてセルタイプを検出する場合がある。一態様では、モバイルアラートサービスセルキャンピング手順は、ETWSセルキャンピング手順またはCMASセルキャンピング手順のうちの少なくとも1つを含んでもよい。別の態様では、好適セルはユーザ機器にワイヤレス通信サービスを提供してもよく、許容可能セルは緊急モバイルアラートおよび緊急呼を提供し、通知専用セルは緊急モバイルアラートおよびeMBMSサービスを提供する。たとえば、図6を参照すると、UE604は、それぞれサービング基地局606および近隣基地局608から情報610、620を受信する場合がある。UE604は、受信された情報610、620に基づいて、サービングセル602aおよび近隣セル602bの各々のセルタイプ605を検出する場合がある。一態様では、セルタイプは、UE604によって実行されるモバイルアラートサービスセルキャンピング手順の一部として検出される場合がある。たとえば、検出されるセルタイプは、好適セル、許容可能セル、または通知専用セルのうちの1つである場合がある。好適セルは、たとえば、UE604が通常のサービス(たとえば、データサービスおよび/または音声サービス)を取得する場合があるセルであってもよい。許容可能セルは、たとえば、UE604がモバイルアラートメッセージを取得し、緊急呼を開始することができるセルであってもよい。通知専用セルは、たとえば、UE604がモバイルアラートメッセージおよびeMBMSサービスのみを取得することができるスタンドアロンMBSFNセル(たとえば、eMBMSスタンドアロンセル)であってもよい。一態様では、モバイルアラートメッセージは、ETWSメッセージおよび/またはCMASメッセージのうちの1つまたは複数を含んでもよい。
【００９０】
図11Aでは、1104において、UEは、セルタイプが好適セルまたは許容可能セルではないと判断する場合がある。好適セルは、UEが、セルによってブロードキャストされたPLMNリストに基づいて決定されており(UEのPLMNがセルによってブロードキャストされた場合、このセルは好適であると判断される)、妨げられていない、通常のサービスを受け取る(たとえば、通常のデータ送信を受信および/または開始する)ことができるセルである。許容可能セルは、UEが限定されたサービスのみを受け取る(緊急呼およびETWS/CMASメッセージを開始/受信する)ことができるセルである。たとえば、図6を参照すると、UE604は、それぞれサービング基地局606および近隣基地局608から情報610、620を受信する場合がある。UE604は、受信された情報610、620に基づいて、サービングセル602aおよび近隣セル602bの各々のセルタイプ605を検出する場合がある。一態様では、セルタイプは、UE604によって実行されるモバイルアラートサービスセルキャンピング手順の一部として検出される場合がある。たとえば、検出されるセルタイプは、好適セル、許容可能セル、または通知専用セルのうちの1つである場合がある。サービングセル602aが通知専用セルである場合、UE604は、近隣セル602bが好適セルまたは許容可能セルではない場合にサービングセル602aにキャンプオンしてもよい。
【００９１】
図11Aでは、1106において、UEは、判断に基づいて通知専用セルにキャンプオンしてもよい。たとえば、図6を参照すると、UE604は、それぞれサービング基地局606および近隣基地局608から情報610、620を受信する場合がある。UE604は、受信された情報610、620に基づいて、サービングセル602aおよび近隣セル602bの各々のセルタイプ605を検出する場合がある。一態様では、セルタイプは、UE604によって実行されるモバイルアラートサービスセルキャンピング手順の一部として検出される場合がある。たとえば、検出されるセルタイプは、好適セル、許容可能セル、または通知専用セルのうちの1つである場合がある。サービングセル602aが通知専用セルである場合、UE604は、近隣セル602bが好適セルまたは許容可能セルではない場合にサービングセル602aにキャンプオンしてもよい。
【００９２】
図11Aでは、1108において、UEは、近隣セルからのユニキャストサブフレームまたは単一周波数ネットワークサブフレームを検出する場合がある。たとえば、図6を参照すると、近隣セル602bは、UE604によって検出される少なくとも1つのCRSを含むユニキャストサブフレームを送信および/またはブロードキャストしてもよい。代替的に、近隣セル602bは、少なくとも1つのMBSFN-RSを含む単一周波数ネットワークサブフレームを送信および/またはブロードキャストしてもよい。
【００９３】
図11Aでは、1110において、UEは、UEがユニキャストサブフレームを検出したときに、少なくとも1つのCRSに基づいてセルの品質を測定してもよい。たとえば、図6を参照すると、UE604は、近隣基地局608から受信されたユニキャストサブフレーム620において検出された少なくとも1つのCRSに基づいて、近隣セル602bの品質605を測定してもよい。
【００９４】
図11Aでは、1112において、UEは、近隣セルの品質が所定量以上であるときに当該セルに再選択してもよい。たとえば、図6を参照すると、セルの測定された品質に基づいて、UE604は、近隣セル602bの品質が所定量以上であるときにサービングセル602aから近隣セル602bに再選択すること(605)を選んでもよい。
【００９５】
図11Aでは、1114において、UEは、UEが単一周波数ネットワークサブフレームを検出したときに、少なくとも1つの基準信号(たとえば、MBSFN-RS、CRSなど)に基づいてセルの品質を測定してもよい。たとえば、図6を参照すると、UE604は、近隣基地局608からの単一周波数ネットワークサブフレーム620において検出された少なくとも1つの基準信号に基づいて、近隣セル602bの品質605を測定してもよい。一態様では、単一周波数ネットワークサブフレームは、近隣セル602bにおける異なる送信ポイントから送信された少なくとも1つの基準信号を含んでもよい。たとえば、セルの品質は、RSRPまたはRSRQのうちの少なくとも1つを含む場合がある。
【００９６】
図11Aでは、1116において、UEは、近隣セルの品質が所定量以上であるときに近隣セルに再選択してもよい。たとえば、図6を参照すると、近隣セル602bの測定された品質に基づいて、UE604は、近隣セルの品質が所定量以上であるときにサービングセル602aから近隣セル602bに再選択すること(605)を選んでもよい。
【００９７】
図11Bでは、1118において、UEはモバイルアラートがないかユニキャストページングを監視してもよい。たとえば、図6を参照すると、UE604は、通知専用セル(たとえば、サービングセル602a)にキャンプオンしたときにサービング基地局606によって送信および/またはブロードキャストされたモバイルアラートがないかユニキャストページングを監視する(605)場合がある。
【００９８】
図11Bでは、1120において、UEは、ユニキャストサブフレームまたはMBSFNサブフレームにおいて、モバイルアラートに関連するSIBを受信する場合がある。たとえば、図6を参照すると、UE604は、ユニキャストサブフレームまたはMBSFNサブフレームにおいて、モバイルアラートに関連するSIB610を受信する場合がある。
【００９９】
図11Bでは、1122において、UEは、ユニキャストサブフレームまたはMBSFNサブフレームにおいてモバイルアラートを受信する場合がある。たとえば、図6を参照すると、モバイルアラート610はまた、ユニキャストサブフレームまたはMBSFNサブフレームにおいて受信される場合がある。
【０１００】
図11Bでは、1124において、UEは、1つまたは複数のMBSFNサブフレームにおけるPMCHにおいてモバイルアラートを受信する場合がある。たとえば、図6を参照すると、UE604は、サービング基地局606によって送信および/またはブロードキャストされた1つまたは複数のMBSFNサブフレームにおけるPMCHにおいて、モバイルアラート610を受信する場合がある。
【０１０１】
図11Bでは、1126において、UEは、通知専用セルの領域において利用可能な1つまたは複数のMBSFNサービスのリストを受信する場合がある。一態様では、領域は、通知専用セルまたは追加のMBSFNサービスを提供する近隣セルのうちの少なくとも1つを含んでもよい。別の態様では、リストは、少なくとも1つのMBSFNチャネル、少なくとも1つのMBSFNセル、サイクリックプレフィックス長、MBSFNサービスを送信するために使用される帯域幅、セル識別情報、コロケーション、またはサポートされるサービスに関連する情報を含んでもよい。たとえば、図6を参照すると、UE604は、サービングセル602a(たとえば、通知専用セル)の領域において利用可能な1つまたは複数のMBSFNサービスのリスト610を受信する場合がある。たとえば、領域は、サービングセル602aまたは追加のMBSFNサービスを提供する1つもしくは複数の近隣セル(たとえば、近隣セル602b)のうちの少なくとも1つを含む場合がある。一態様では、リストは、少なくとも1つのMBSFNチャネル、少なくとも1つのMBSFNセル、サイクリックプレフィックス長、帯域幅、セル識別情報、コロケーション、またはサポートされるサービスに関連する情報を含んでもよい。
【０１０２】
図11Bでは、1128において、UEは、制御情報を含む第1のサブフレームおよび制御情報を含まない第2のサブフレームを示す第1のシグナリングを受信する場合がある。たとえば、図6を参照すると、サービングセル602aは、制御領域(たとえば、PDCCH)を有するいくつかのサブフレームおよび制御領域を含まなくてもよい他のサブフレームを含む場合がある。したがって、サービング基地局606はUE604に、どのサブフレームが制御領域を有し、どのサブフレームが制御領域を有しないかをシグナリングする場合がある。さらに、サービング基地局606は、各サブフレームに関連するサイクリックプレフィックスおよび/またはヌメロロジーをシグナリングする場合がある。たとえば、UE604は、制御情報を含む第1のサブフレームおよび制御情報を含まない第2のサブフレームを示す第1のシグナリング610を受信する場合がある。
【０１０３】
図11Bでは、1130において、UEは、各サブフレームに関連するシンボル長または制御領域サイズのうちの少なくとも1つを示す第2のシグナリングを受信する場合がある。一態様では、UEは、シンボル長のうちの少なくとも1つに基づいて、どのサブフレームが制御領域を含み、どのサブフレームが制御領域を含まないかを判断してもよい(たとえば、制御領域を有するサブフレームは、制御領域を含まないサブフレームとは異なるシンボル長を有する)。たとえば、図6を参照すると、UE604は、各サブフレームに関連するシンボル長または制御領域サイズのうちの少なくとも1つを示す第2のシグナリング610を受信する場合がある。
【０１０４】
図11Bでは、1132において、UEは、シンボル長または制御領域サイズのうちの1つまたは複数に基づいて、各サブフレームに関連する特定のサイクリックプレフィックス長またはヌメロロジーのうちの少なくとも1つを決定する場合がある。一態様では、UEは、各サブフレームに関連するサイクリックプレフィックス長またはヌメロロジーのうちの少なくとも1つに基づいて、どのサブフレームが制御領域を含み、どのサブフレームが制御領域を含まないかを判断してもよい(たとえば、制御領域を有するサブフレームは、制御領域を含まないサブフレームとは異なるサイクリックプレフィックス長および/またはヌメロロジーを有する場合がある)。たとえば、図6を参照すると、UE604は、シンボル長または制御領域サイズのうちの1つまたは複数に基づいて、各サブフレームに関連する特定のサイクリックプレフィックス長またはヌメロロジーのうちの少なくとも1つを決定する(605)場合がある。
【０１０５】
図11Bでは、1134において、UEは、各サブフレームに関連するサイクリックプレフィックス長またはヌメロロジーのうちの少なくとも1つを示す第3のシグナリングを受信する場合がある。一態様では、UEは、各サブフレームに関連するサイクリックプレフィックス長またはヌメロロジーのうちの少なくとも1つに基づいて、どのサブフレームが制御領域を含み、どのサブフレームが制御領域を含まないかを判断してもよい(たとえば、制御領域を有するサブフレームは、制御領域を含まないサブフレームとは異なるサイクリックプレフィックス長および/またはヌメロロジーを有する場合がある)。たとえば、図6を参照すると、UE604は、各サブフレームに関連するサイクリックプレフィックス長またはヌメロロジーのうちの少なくとも1つを示す第3のシグナリング610を受信する場合がある。たとえば、サービング基地局606は、第1のシグナリング、第2のシグナリング、および第3のシグナリングの各々のために、一定のビット量(たとえば、1ビット)を使用する場合がある。
【０１０６】
図12は、例示的な装置1202中の異なる手段/コンポーネント間のデータフローを示す概念データフロー図1200である。本装置は、第1のeMBMSスタンドアロンセル(たとえば、サービングセル602a)に位置する第1の基地局1250(たとえば、基地局102、310、412、414、508、606)および第2のeMBMSスタンドアロンセル(たとえば、近隣セル602b)に位置する第2の基地局1255(たとえば、基地局102、310、412、414、508、608)と通信しているUE(たとえば、UE104、350、420、425、504、604、装置902')であってもよい。
【０１０７】
本装置は、第1の基地局1250からセルタイプ情報1201、第1のシグナリング1201、第2のシグナリング1201、第3のシグナリング1201、ユニキャストサブフレーム1201、単一周波数ネットワークサブフレーム1201、および/またはモバイルアラート1201のうちの1つまたは複数を受信する受信コンポーネント1204を含んでもよい。さらに、受信コンポーネント1204は、第2の基地局1255からセルタイプ情報1203、ユニキャストサブフレーム1203、および/または単一周波数ネットワークサブフレーム1203を受信する場合がある。受信コンポーネント1204は、セルタイプ情報1201、1203、ユニキャストサブフレーム1203、単一周波数ネットワークサブフレーム1203、第1のシグナリング1201、第2のシグナリング1201、第3のシグナリング1201、および/またはモバイルアラート1201のうちの1つまたは複数に関連する信号1205を検出コンポーネント1206に送信してもよい。検出コンポーネント1206は、モバイルアラートサービスセルキャンピング手順の一部としてセルタイプを検出する場合がある。たとえば、第1のeMBMSセルのセルタイプは、第1の基地局1250から受信されたセルタイプ情報1201に基づいて検出される場合がある。第2のeMBMSセルのセルタイプは、第2の基地局1255から受信されたセルタイプ情報1203に基づいて検出される場合がある。検出コンポーネント1206は、第1の基地局1250および/または第2の基地局1255に関連するセルタイプ情報のうちの1つまたは複数に関連する信号1207を決定コンポーネント1208に送信してもよい。決定コンポーネント1208は、第1の基地局1250のセルタイプが通知専用セルである(たとえば、好適セルまたは許容可能セルではない)と判断する場合がある。さらに、決定コンポーネント1208は、第2の基地局1255のセルタイプも通知専用セルである(たとえば、好適セルまたは許容可能セルではない)と判断する場合がある。決定コンポーネント1208は、第1の基地局1250および第2の基地局1255に関連するそれぞれのセルが両方とも通知専用セルであることを示す信号1209をセルキャンピングコンポーネント1210に送信してもよい。セルキャンピングコンポーネント1210は、第1の基地局1250および第2の基地局1255に関連するそれぞれのセルが両方とも通知専用セルであることを示す信号1209に基づいて、第1の基地局1250に関連する通知専用セルにキャンプオンしてもよい。セルキャンピングコンポーネント1210は、送信コンポーネント1216および/または受信コンポーネント1204に、装置1202がサービングセルにキャンプオンしていることを示す信号1211を送信してもよい。送信コンポーネント1216は、装置1202がサービングセルにキャンプオンしていること示す信号1213を第1の基地局1250に送信してもよい。さらに、検出コンポーネント1206は、受信コンポーネント1204から受信された信号1205に基づいて、第2の基地局1255によって送信および/またはブロードキャストされたユニキャストサブフレームまたは単一周波数ネットワークサブフレームを検出する場合がある。検出コンポーネント1206は、ユニキャストサブフレームまたは単一周波数ネットワークサブフレームに関連する信号1215を測定コンポーネント1212に送信してもよい。測定コンポーネント1212は、ユニキャストサブフレームに関連する情報を信号1215が含むときに、少なくとも1つのCRSに基づいて、第2の基地局1255に関連するセルの品質を測定して���よい。追加および/または代替として、測定コンポーネント1212は、単一周波数ネットワークサブフレームに関連する情報を信号1215が含むときに、少なくとも1つのMBSFN-RSに基づいて、第2の基地局1255に関連するセルの品質を測定する。測定コンポーネント1212は、第2の基地局1255に関連するセルの品質に関連する信号1217を再選択コンポーネント1214に送信してもよい。再選択コンポーネント1214は、近隣セルの品質が所定量以上であるときに近隣セルに再選択してもよい。再選択コンポーネント1214は、セル再選択に関連する信号1219を送信コンポーネント1216および/または受信コンポーネント1204に送信してもよい。送信コンポーネント1216は、装置1202が第2の基地局1255に関連するセル(たとえば、近隣セル)に再選択していることを示す信号1213、1221を、第1の基地局1250および/または第2の基地局1255のうちの1つまたは複数に送信してもよい。さらに、受信コンポーネント1204は、サービングセルにキャンプオンしたときに第1の基地局1250からの、または近隣セルにキャンプオンしたときに第2の基地局1255からのモバイルアラート1201がないかユニキャストページングを監視してもよい。受信コンポーネント1204は、第1の基地局1250から受信されたユニキャストサブフレームまたはMBSFNサブフレームにおいて、モバイルアラートに関連するSIB1201を受信する場合がある。さらに、受信コンポーネント1204は、第1の基地局1250からの1つまたは複数のMBSFNサブフレームにおけるPMCHにおいて、モバイルアラート1201を受信する場合がある。追加および/または代替として、受信コンポーネント1204は、第1の基地局1250から、通知専用セル(たとえば、サービングセル)の領域において利用可能な1つまたは複数のMBSFNサービスのリスト1201を受信する場合がある。一態様では、領域は、通知専用セルまたは追加のMBSFNサービスを提供する近隣セルのうちの少なくとも1つを含んでもよい。別の態様では、リストは、少なくとも1つのMBSFNチャネル、少なくとも1つのMBSFNセル、サイクリックプレフィックス長、帯域幅、セル識別情報、コロケーション、またはサポートされるサービスに関連する情報を含んでもよい。さらに、受信コンポーネント1204は、制御情報を含む第1のサブフレームおよび制御情報を含まない第2のサブフレームを示す第1のシグナリング1201を第1の基地局1250から受信する場合がある。受信コンポーネント1204は、各サブフレームに関連するシンボル長または制御領域サイズのうちの少なくとも1つを示す第2のシグナリング1201を第1の基地局1250から受信する場合がある。受信コンポーネント1204は、各サブフレームに関連するシンボル長または制御領域サイズのうちの少なくとも1つに関連する信号1223を決定コンポーネント1208に送信してもよい。決定コンポーネント1208は、シンボル長のうちの少なくとも1つに基づいて、どのサブフレームが制御領域を含み、どのサブフレームが制御領域を含まないかを判断してもよい(たとえば、制御領域を有するサブフレームは、制御領域を含まないサブフレームとは異なるシンボル長を有する)。追加および/または代替として、決定コンポーネント1208は、シンボル長または制御領域サイズのうちの1つまたは複数に関連する信号1223に基づいて、各サブフレームに関連する特定のサイクリックプレフィックス長またはヌメロロジーのうちの少なくとも1つを決定する場合がある。一態様では、決定コンポーネント1208は、各サブフレームに関連するサイクリックプレフィックス長またはヌメロロジーのうちの少なくとも1つに基づいて、どのサブフレームが制御領域を含み、どのサブフレームが制御領域を含まないかを判断してもよい(たとえば、制御領域を有するサブフレームは、制御領域を含まないサブフレームとは異なるサイクリックプレフィックス長および/またはヌメロロジーを有する場合がある)。受信コンポーネント1204は、各サブフレームに関連するサイクリックプレフィックス長またはヌメロロジーのうちの少なくとも1つを示す第3のシグナリング1201を第1の基地局1250から受信する場合がある。受信コンポーネント1204は、各サブフレームに関連するサイクリックプレフィックス長またはヌメロロジーのうちの少なくとも1つに関連する信号1223を決定コンポーネント1208に送信してもよい。一態様では、決定コンポーネント1208は、各サブフレームに関連するサイクリックプレフィックス長またはヌメロロジーのうちの少なくとも1つに基づいて、どのサブフレームが制御領域を含み、どのサブフレームが制御領域を含まないかを判断してもよい(たとえば、制御領域を有するサブフレームは、制御領域を含まないサブフレームとは異なるサイクリックプレフィックス長および/またはヌメロロジーを有する場合がある)。
【０１０８】
本装置は、図11Aおよび図11Bの上述のフローチャート中のアルゴリズムのブロックの各々を実行する追加のコンポーネントを含む場合がある。したがって、図11Aおよび図11Bの上述のフローチャート中の各ブロックは、1つのコンポーネントによって実行されてもよく、本装置は、それらのコンポーネントのうちの1つまたは複数を含んでもよい。コンポーネントは、述べられたプロセス/アルゴリズムを遂行するように具体的に構成される1つもしくは複数のハードウェアコンポーネントであるか、述べられたプロセス/アルゴリズムを実行するように構成されるプロセッサによって実装されるか、プロセッサによる実装のためにコンピュータ可読媒体内に記憶されるか、またはそれらの何らかの組合せであってもよい。
【０１０９】
図13は、処理システム1314を採用する装置1202'のためのハードウェア実装形態の一例を示す図1300である。処理システム1314は、バス1324によって全体的に表されるバスアーキテクチャを用いて実装されてもよい。バス1324は、処理システム1314の特定の適用例および全体的な設計制約に応じて、任意の数のインターコネクトバスおよびブリッジを含んでもよい。バス1324は、プロセッサ1304によって表される1つまたは複数のプロセッサおよび/またはハードウェアコンポーネントと、コンポーネント1204、1206、1208、1210、1212、1214、1216と、コンピュータ可読媒体/メモリ1306とを含む様々な回路を互いにリンクする。バス1324はまた、タイミングソース、周辺装置、電圧調整器、および電力管理回路などの様々な他の回路をリンクする場合があるが、これらの回路は当技術分野においてよく知られており、したがって、これ以上説明しない。
【０１１０】
処理システム1314は、トランシーバ1310に結合されてもよい。トランシーバ1310は、1つまたは複数のアンテナ1320に結合される。トランシーバ1310は、伝送媒体を介して様々な他の装置と通信するための手段を提供する。トランシーバ1310は、1つまたは複数のアンテナ1320から信号を受信し、受信された信号から情報を抽出し、抽出された情報を処理システム1314、特に受信コンポーネント1204に提供する。さらに、トランシーバ1310は、処理システム1314、特に送信コンポーネント1216から情報を受信し、受信された情報に基づいて、1つまたは複数のアンテナ1320に印加されるべき信号を生成する。処理システム1314は、コンピュータ可読媒体/メモリ1306に結合されるプロセッサ1304を含む。プロセッサ1304は、コンピュータ可読媒体/メモリ1306に記憶されたソフトウェアの実行を含む、一般的な処理に関与する。ソフトウェアは、プロセッサ1304によって実行されると、任意の特定の装置に関して上記で説明した様々な機能を処理システム1314に実行させる。コンピュータ可読媒体/メモリ1306はまた、ソフトウェアを実行するときにプロセッサ1304によって操作されるデータを記憶するために使用される場合がある。処理システム1314は、コンポーネント1204、1206、1208、1210、1212、1214、1216のうちの少なくとも1つをさらに含む。それらのコンポーネントは、プロセッサ1304内で動作し、コンピュータ可読媒体/メモリ1306に存在する/記憶されたソフトウェアコンポーネント、プロセッサ1304に結合される1つもしくは複数のハードウェアコンポーネント、またはそれらの何らかの組合せであってもよい。処理システム1314は、UE350のコンポーネントである場合があり、メモリ360、ならびに/またはTXプロセッサ368、RXプロセッサ356、およびコントローラ/プロセッサ359のうちの少なくとも1つを含む場合がある。
【０１１１】
一構成では、ワイヤレス通信のための装置1202/1202'は、モバイルアラートサービスセルキャンピング手順の一部としてセルタイプを検出するための手段を含んでもよい。一態様では、セルタイプは、好適セル、許容可能セル、または通知専用セルのうちの1つである場合がある。別の態様では、通知専用セルはeMBMSスタンドアロンサービスに関連付けられてもよい。さらなる態様では、モバイルアラートサービスセルキャンピング手順は、ETWSセルキャンピング手順またはCMASセルキャンピング手順のうちの少なくとも1つを含んでもよい。別の態様では、好適セルはUEにワイヤレス通信サービスを提供してもよく、許容可能セルは緊急モバイルアラートおよび緊急呼を提供してもよく、通知専用セルは緊急モバイルアラートおよびeMBMSサービスを提供してもよい。別の構成では、ワイヤレス通信のための装置1202/1202'は、セルタイプが好適セルまたは許容可能セルではないと判断するための手段を含んでもよい。さらなる構成では、ワイヤレス通信のための装置1202/1202'は、判断に基づいて通知専用セルにキャンプオンするための手段を含んでもよい。さらに、ワイヤレス通信のための装置1202/1202'は、近隣セルによって送信されたユニキャストサブフレームを検出するための手段を含んでもよい。一態様では、ユニキャストサブフレームは、少なくとも1つのCRSを含んでもよい。さらに、ワイヤレス通信のための装置1202/1202'は、少なくとも1つのCRSに基づいてセルの品質を測定するための手段を含んでもよい。さらなる構成では、ワイヤレス通信のための装置1202/1202'は、近隣セルの品質が所定量以上であるときに当該セルに再選択するための手段を含んでもよい。別の構成では、ワイヤレス通信のための装置1202/1202'は、近隣セルによって送信された単一周波数ネットワークサブフレームを検出するための手段を含んでもよい。一態様では、SFNサブフレームは、異なる送信ポイントから送信された少なくとも1つの基準信号を含んでもよい。さらなる構成では、ワイヤレス通信のための装置1202/1202'は、少なくとも1つの基準信号に基づいてセルの品質を測定するための手段を含んでもよい。またさらに、ワイヤレス通信のための装置1202/1202'は、近隣セルの品質が所定量以上であるときに当該セルに再選択するための手段を含んでもよい。一態様では、セルの品質は、RSRPまたはRSRQのうちの少なくとも1つを含む場合がある。さらに、ワイヤレス通信のための装置1202/1202'は、モバイルアラートがないかユニキャストページングを監視するための手段を含んでもよい。さらに、ワイヤレス通信のための装置1202/1202'は、ユニキャストサブフレームまたはMBSFNサブフレームにおいて、モバイルアラートに関連するSIBを受信するための手段を含んでもよい。さらに、ワイヤレス通信のための装置1202/1202'は、ユニキャストサブフレームまたはMBSFNサブフレームにおいてモバイルアラートを受信するための手段を含んでもよい。別の構成では、ワイヤレス通信のための装置1202/1202'は、1つまたは複数のMBSFNサブフレームにおけるPMCHにおいてモバイルアラートを受信するための手段を含んでもよい。さらなる構成では、ワイヤレス通信のための装置1202/1202'は、通知専用セルの領域において利用可能な1つまたは複数のMBSFNサービスのリストを受信するための手段を含んでもよい。一態様では、領域は、通知専用セルまたは追加のMBSFNサービスを提供する近隣セルのうちの少なくとも1つを含んでもよい。別の態様では、リストは、少なくとも1つのMBSFNチャネル、少なくとも1つのMBSFNセル、サイクリックプレフィックス長、帯域幅、セル識別情報、コロケーション、またはサポートされるサービスに関連する情報を含んでもよい。さらなる構成では、ワイヤレス通信のための装置1202/1202'は、制御情報を含む第1のサブフレームおよび制御情報を含まない第2のサブフレームを示す第1のシグナリングを受信するための手段を含んでもよい。またさらに、ワイヤレス通信のための装置1202/1202'は、各サブフレームに関連するシンボル長または制御領域サイズのうちの少なくとも1つを示す第2のシグナリングを受信するための手段を含んでもよい。別の構成では、ワイヤレス通信のための装置1202/1202'は、シンボル長または制御領域サイズのうちの1つまたは複数に基づいて各サブフレームに関連する特定のサイクリックプレフィックス長またはヌメロロジーのうちの少なくとも1つを決定するための手段を含んでもよい。さらなる構成では、ワイヤレス通信のための装置1202/1202'は、第3のシグナリングに基づいて、各サブフレームに関連する特定のサイクリックプレフィックス長または特定のヌメロロジーのうちの少なくとも1つを決定するための手段を含んでもよい。上述の手段は、上述の手段によって列挙された機能を実行するように構成される装置1202および/または装置1202'の処理システム1314の上述のコンポーネントのうちの1つまたは複数であってもよい。上記で説明したように、処理システム1314は、TXプロセッサ368、RXプロセッサ356、およびコントローラ/プロセッサ359を含む場合がある。そのため、一構成では、上述の手段は、上述の手段によって列挙された機能を実行するように構成されるTXプロセッサ368、RXプロセッサ356、およびコントローラ/プロセッサ359であってもよい。
【０１１２】
開示されるプロセス/フローチャートにおけるブロックの特定の順序または階層が例示的な手法の例示であることを理解されたい。設計上の選好に基づいて、プロセス/フローチャートにおけるブロックの特定の順序または階層が再構成される場合があることを理解されたい。さらに、いくつかのブロックは組み合わされてもよく、または省略されてもよい。添付の方法クレームは、様々なブロックの要素を例示的な順序で提示したものであり、提示される特定の順序または階層に限定されるものではない。
【０１１３】
上述の説明は、本明細書で説明した様々な態様を当業者が実践できるようにするために提供される。これらの態様への様々な変更が当業者には容易に明らかになり、本明細書で規定された一般原理は他の態様に適用されてもよい。したがって、特許請求の範囲は、本明細書に示す態様に限定されるものではなく、クレーム文言と一致するすべての範囲を与えられるべきであり、単数形での要素への言及は、そのように明記されていない限り、「唯一無二の」ではなく、「1つまたは複数の」を意味するものとする。「例示的」という単語は、本明細書では「例、事例、または例示としての働きをすること」を意味するために使用される。本明細書で「例示的」と記載されている任意の態様は、必ずしも他の態様よりも好ましいまたは有利であると解釈されるべきではない。その他の形で特に述べられない限り、「いくつかの」という用語は、1つまたは複数を指す。「A、B、またはCのうちの少なくとも1つ」、「A、B、またはCのうちの1つまたは複数」、「A、B、およびCのうちの少なくとも1つ」、「A、B、およびCのうちの1つまたは複数」、「A、B、C、またはそれらの任意の組合せ」などの組合せは、A、B、および/またはCの任意の組合せを含み、複数のA、複数のB、または複数のCを含んでもよい。具体的には、「A、B、またはCのうちの少なくとも1つ」、「A、B、またはCのうちの1つまたは複数」、「A、B、およびCのうちの少なくとも1つ」、「A、B、およびCのうちの1つまたは複数」、「A、B、C、またはそれらの任意の組合せ」などの組合せは、Aのみ、Bのみ、Cのみ、AおよびB、AおよびC、BおよびC、またはAおよびBおよびCであってもよく、任意のそのような組合せは、A、B、またはCのうちの1つまたは複数のメンバーを含んでもよい。当業者に知られているか、または後に知られることになる、本開示全体を通じて説明した様々な態様の要素に対するすべての構造的および機能的均等物が、参照により本明細書に明確に組み込まれ、特許請求の範囲によって包含されることが意図される。さらに、本明細書で開示したものは、そのような開示が特許請求の範囲に明示的に列挙されているかどうかにかかわらず、公に供されるものではない。「モジュール」、「機構」、「要素」、「デバイス」などの単語は、「手段」という単語の代用ではない場合がある。したがって、いかなるクレーム要素も、その要素が「のための手段」という語句を使用して明確に列挙されていない限り、ミーンズプラスファンクションとして解釈されるべきではない。
【符号の説明】
【０１１４】
100  ワイヤレス通信システムおよびアクセスネットワーク
102  基地局、マクロ基地局
102'  スモールセル
104  UE
110  地理的カバレージエリア、カバレージエリア
110'  カバレージエリア
120  通信リンク
132  バックホールリンク
134  バックホールリンク
150  Wi-Fiアクセスポイント(AP)
152  Wi-Fi局(STA)
154  通信リンク
160  発展型パケットコア(EPC)
162  モビリティ管理エンティティ(MME)
164  他のMME
166  サービングゲートウェイ
168  マルチメディアブロードキャストマルチキャストサービス(MBMS)ゲートウェイ
170  ブロードキャストマルチキャストサービスセンター(BM-SC)
172  パケットデータネットワーク(PDN)ゲートウェイ
174  ホーム加入者サーバ(HSS)
176  IPサービス
180  ミリメートル波(mmW)基地局
182  UE
184  ビームフォーミング
200  図
230  図
250  図
280  図
310  eNB、基地局
316  送信(TX)プロセッサ
318  トランスミッタ、レシーバ
320  アンテナ
350  UE
352  アンテナ
354  レシーバ、トランスミッタ
356  受信(RX)プロセッサ
358  チャネル推定器
359  コントローラ/プロセッサ
360  メモリ
368  TXプロセッサ
370  受信(RX)プロセッサ
374  チャネル推定器
375  コントローラ/プロセッサ
376  メモリ
410  図
412  eNB、基地局
412'  セル
414  eNB、基地局
414'  セル
420  UE
425  UE
430  図
440  図
500  通信システム
502  スタンドアロンMBSFNセル、セル
504  非レガシーUE、UE
505  特性
506  レガシーUE
508  基地局
510  セル捕捉情報
520  セル捕捉
600  通信システム
602a  サービングセル
602b  近隣セル
604  UE
605  セルタイプ
606  サービング基地局、基地局
608  近隣基地局、基地局
610  情報
620  情報、単一周波数ネットワークサブフレーム、ユニキャストサブフレーム
700  フロー図
710  セル再選択評価プロセス
800  フローチャート
900  概念データフロー図
901  セル捕捉情報
902  装置
902'  装置
903  信号、情報
904  受信コンポーネント
905  信号
906  検出コンポーネント
907  信号
908  決定コンポーネント
909  信号
910  復号コンポーネント
911  信号
912  セル捕捉コンポーネント
913  信号
914  送信コンポーネント
915  信号
917  信号
919  セル捕捉情報、UL通信
950  基地局
1000  図
1004  プロセッサ
1006  コンピュータ可読媒体/メモリ
1010  トランシーバ
1014  処理システム
1020  アンテナ
1024  バス
1100  フローチャート
1200  概念データフロー図
1201  セルタイプ情報、第1のシグナリング、第2のシグナリング、第3のシグナリング、ユニキャストサブフレーム、単一周波数ネットワークサブフレーム、モバイルアラート、SIB、リスト
1202  装置
1202'  装置
1203  セルタイプ情報、ユニキャストサブフレーム、単一周波数ネットワークサブフレーム
1204  受信コンポーネント
1205  信号
1206  検出コンポーネント
1207  信号
1208  決定コンポーネント
1209  信号
1210  セルキャンピングコンポーネント
1211  信号
1212  測定コンポーネント
1213  信号
1214  再選択コンポーネント
1215  信号
1216  送信コンポーネント
1217  信号
1219  信号
1221  信号
1223  信号
1250  第1の基地局
1255  第2の基地局
1300  図
1304  プロセッサ
1306  コンピュータ可読媒体/メモリ
1310  トランシーバ
1314  処理システム
1320  アンテナ
1324  バス
【図１】
2019516275.tif 000007
【図２Ａ】
2019516275.tif 000008
【図２Ｂ】
2019516275.tif 000009
【図２Ｃ】
2019516275.tif 000010
【図２Ｄ】
2019516275.tif 000011
【図３】
2019516275.tif 000012
【図４Ａ】
2019516275.tif 000013
【図４Ｂ】
2019516275.tif 000014
【図４Ｃ】
2019516275.tif 000015
【図５】
2019516275.tif 000016
【図６】
2019516275.tif 000017
【図７】
2019516275.tif 000018
【図８】
2019516275.tif 000019
【図９】
2019516275.tif 000020
【図１０】
2019516275.tif 000021
【図１１Ａ】
2019516275.tif 000022
【図１１Ｂ】
2019516275.tif 000023
【図１２】
2019516275.tif 000024
【図１３】
2019516275.tif 000025
【国際調査報告】
2019516275.tif 000026
2019516275.tif 000027
2019516275.tif 000028
2019516275.tif 000029
2019516275.tif 000030